(57)【要約】【課題】遊技機又はその近傍から斬新な利益付与を行える利益付与情報提供装置を提供する。【解決手段】利益付与情報提供装置３０は、遊技機１の内部、又は遊技機１の近傍に設けられると共に、遊技者に対して所定の利益を情報として提供するように構成される。そして、表示装置と、この表示装置において広告情報の表示を行うように制御する広告表示制御手段と、この広告表示に関連した、クーポン券、商品券等の遊技者に対して利益を付与する利益付与情報を、所定の携帯通信端末に対して出力する利益付与情報出力手段（赤外線発光部３３）とを備えた構成をなしている。【選択図】  図１
2005006679.tif 000002
【特許請求の範囲】
【請求項１】
遊技機において、又は遊技機の近傍において設けられると共に、遊技者に対して所定の利益を情報として提供する利益付与情報提供装置であって、
所定表示装置と、
この所定表示装置において広告情報の表示を行うように制御する広告表示制御手段と、
この広告表示に関連した、クーポン券、商品券等の遊技者に対して利益を付与する利益付与情報を、所定の携帯通信端末に対して出力する利益付与情報出力手段とを備えたことを特徴とする利益付与情報提供装置。
【請求項２】
遊技機において、又は遊技機の近傍において設けられると共に、遊技者に対して所定の利益を情報として提供する利益付与情報提供装置であって、
所定表示装置と、
この所定表示装置において広告情報の表示を行うように制御する広告表示制御手段と、
この広告表示に関連した、クーポン券、商品券等の遊技者に対して利益を付与する利益付与情報を、所定の携帯通信端末に対して出力する利益付与情報出力手段とを備え、
前記利益付与情報は、文字、図形、記号、バーコード、二次元コード等の識別情報として構成されるものであり、前記利益付与情報出力手段は、この識別情報を画像表示にて出力する識別情報表示手段を備えたことを特徴とする利益付与情報提供装置。
【発明の詳細な説明】
【０００１】
【発明の属する技術分野】
本発明は、遊技者に対して利益を提供する利益付与情報提供装置に関する。
【０００２】
【従来の技術】
従来、遊技機での遊技に関し、遊技者に何らかの利益を付与するような遊技形態がいくつか考えられている。一般的には、大当り当選となった場合に遊技球やメダル等の遊技媒体を払い出すようにして遊技者に利益を付与するものが広く提供されており、遊技者はそれを目標として遊技を行う。しかしながら、単なる遊技媒体の付与のみでは、遊技者が飽きてしまう虞があるため、演出性の向上や付随する利益付与（例えば確率変動状態に設定するなど）によって興趣を高めようとする方法が用いられている。
【０００３】
【特許文献１】
特開２００１−２８６６０９公報
【０００４】
【発明が解決しようとする課題】
ところで、上記のような従来技術においては、大当りや確率変動などの当選のみを目標とし、遊技が画一的となってしまう虞がある。極端に言えば、大当り抽選演出や確率変動抽選演出のみに集中し、それ以外の期間は利益が付与される可能性が無い、又は少ないため、遊技に集中しないようなケースもある。また、遊技者に対しての利益付与は遊技媒体の提供が一般的であるが、単なる遊技媒体の提供では利益付与が画一的となってしまい、面白さ、或いは満足感等が得られない懸念もある。
【０００５】
一方、利益付与を行う構成ではないが、広告情報を表示してその広告に係る物等の宣伝を行おうとする技術が特許文献１にて提供されている。このような技術によれば、遊技者は場合によって自身に有用な広告情報を知ることができ、かつ「飽き」の抑制にもつながる。また、広告提供者にとっては、遊技機を利用して効果的に宣伝を行えるため有用な構成となる。
【０００６】
しかしながら、上記特許文献１の技術は、単に広告情報を表示するのみであるため、広告提供者にとってはある程度有用な構成となるが、遊技者にとっては必ずしも有用なものとはいえない。即ち、遊技者に直接利益が付与される構成ではないため、遊技者がそれほど利益を受けた感じを持たない可能性がある。
【０００７】
本発明の解決すべき課題は、斬新な利益付与を行い、遊技者の満足度を効果的に高めうる利益付与情報提供装置を提供することにある。
【０００８】
【課題を解決するための手段及び作用・効果】
上記課題を解決するための有効な手段とその作用・効果を以下に示す。
手段１．遊技機において、又は遊技機の近傍において設けられると共に、遊技者に対して所定の利益を情報として提供する利益付与情報提供装置であって、
所定表示装置と、
この所定表示装置において広告情報の表示を行うように制御する広告表示制御手段と、
この広告表示に関連した、クーポン券、商品券等の遊技者に対して利益を付与する利益付与情報を、所定の携帯通信端末に対して出力する利益付与情報出力手段とを備えたことを特徴とする利益付与情報提供装置。
【０００９】
上記手段１の構成（即ち、請求項１の構成）によれば、遊技者は遊技機内、又はその近傍に設けられた利益付与情報提供装置から携帯通信端末を用いて利益付与情報をその場で取得することができ、極めて有用な構成となる。このようにすれば、広告情報の有用性を高めることができ、広告効果の大きい構成となる。即ち、単なる広告ではなく、具体的な利益が付与される構成となるため、遊技者の満足度を高めることができる。なお、「利益付与情報に関連した広告情報」は、例えば、利益付与情報による利益付与の対象となる商品や役務についての広告情報であってもよく、利益付与情報の提供企業についての広告情報であってもよい。
【００１０】
具体的には、手段１（即ち請求項１）若しくは手段４５（即ち請求項２）に記載のものにおいて、前記広告情報に関連したクーポン券、商品券等の遊技者に対して利益を付与する利益付与情報を所定の利益付与情報記憶手段から読み出すと共に、この利益付与情報を前記利益付与情報出力手段にて出力するように制御する出力制御手段を設けるように構成できる。例えば、当該利益付与情報提供装置内に設けられたＣＰＵをこの出力制御手段として機能させることができる。
【００１１】
なお、本発明でいう「利益付与情報」は、遊技者の利益となる情報、又は遊技者の利益となる可能性がある情報の双方を含むことができる。「利益となる情報」は、商品券、図書券、ビール券、旅行券などの有価価値券、商品や役務との引換券、商品や役務に関する割引券、商品や役務に関する抽選券（もれなく何らかの商品又は役務が貰えるようなもの）、福引を行うための福引券（もれなく当選するような福引など）などとして機能する情報が挙げられ、その他の情報であっても、当該利益付与情報を使用することにより最終的に遊技者に何らかの利益が付与されるようなものであれば採用できる。この情報は単一データによりこれらとして機能するものであってもよく、複数データによりこれらとして機能するものであってもよい。「利益となる可能性がある情報」は、商品や役務に関する抽選券、福引を行うための福引券、対象者限定のクーポン券など、当該利益付与情報を使用することにより何らかの利益が付与される可能性があるものであり、場合によっては最終的に利益が付与されない可能性がある情報である。
【００１２】
また、利益付与情報の情報構成としては、当該利益付与情報が携帯通信端末にて取得された後、店舗等にて提示できるような画像情報（例えば、クーポン券や商品券などとして携帯通信端末の画面に表示されるような画像情報など）として表示できるデータ構成であってもよく、店舗等の所定装置に対して当該利益付与情報を情報送信して用いるようなデータ構成であってもよい。
【００１３】
なお、手段１に記載のものにおいて、広告情報の表示と並行して利益付与情報を出力を行うようにできる。このようにすれば、遊技者が利益付与情報を取得している最中に広告が並行して提供され続けるため、広告の印象を効果的に高めることができる。より具体的には、例えば、広告情報の表示と同一画面にて利益付与情報の提供に関する説明情報を表示するようにし、それら広告情報及び説明情報の表示と並行して利益付与情報を出力するように構成できる。
【００１４】
手段２．前記広告表示制御手段は、予め用意された複数の広告情報の中から少なくともいずれかの広告情報を選択して表示する広告選択手段を備えたことを特徴とする手段１に記載の利益付与情報提供装置。
【００１５】
上記構成によれば、多種の広告が表示可能となり、遊技者にとっては有用な情報を多種取得でき、広告提供側にとっては、提供枠が拡大されて門戸の広い構成となる。具体的には例えば、手段２に記載のものにおいて、複数の広告情報のデータを所定の記憶手段に記憶しておき、所定条件の成立に基づいて少なくともいずれかのデータを読み出して表示するようにできる。
【００１６】
手段３．前記広告情報は、所定の第１地域用の広告情報と、これとは地域範囲の異なる第２地域用の広告情報とを少なくとも含み、
表示すべき広告情報を、これら第１地域用の広告情報と第２地域用の広告情報との間で切り替える地域切替手段を備えたことを特徴とする手段２に記載の利益付与情報提供装置。
【００１７】
このようにすれば、地域性を考慮した広告が可能となる。なお、ここでは第１及び第２地域用の広告情報を少なくとも含むように構成したが、第３地域用の広告情報や更なる地域用の広告情報を含ませるようにしてもよい。また、ここでいう地域区分としては、例えば、「日本全国」、関東、東海等の「地方」、都道府県、市町村などがあり、さらに狭い地域区分として店舗を含むものとする。即ち、店舗用の広告情報（例えば、店舗内で有効な広告情報）と、都道府県レベルで有効な広告情報とを混在させ、これらを切り替え可能とすることができる。
【００１８】
手段４．遊技者による入力が可能に構成された遊技者入力手段を備え、
前記広告選択手段は、この遊技者入力手段による入力に基づいて前記広告情報を選択することを特徴とする手段２又は手段３に記載の利益付与情報提供装置。
【００１９】
このようにすれば、遊技者入力手段による入力を反映して広告情報が選択されることとなるため、遊技者の要望を効果的に反映できる構成となる。
【００２０】
手段５．前記広告表示制御手段は、所定の選択を行うための選択用情報を表示するように制御を行うと共に、前記遊技者入力手段により、その選択用情報に基づく選択情報が入力されることに応じて、その選択情報に対応した広告情報、又はその選択情報に対応した広告関連情報が表示可能となるように制御を行うことを特徴とする手段４に記載の利益付与情報提供装置。
【００２１】
このようにすれば、遊技者が所望の広告の提供を受けるための操作を簡単に行える構成となる。なお、「選択情報に対応した広告情報」を表示する場合には、例えば広告情報に対応したインデックス情報を複数表示（例えば、商品名やキャッチフレーズ、メーカー名などをバナー広告として複数表示）し、いずれかのインデックス情報が選択されることに基づいてその選択されたインデックス情報に係る広告情報を表示するように構成できる。また、「選択情報に対応した広告関連情報」を表示する場合は、例えば遊技者が自分の好みを入力することに基づいて、その好みに関する商品一覧を表示したり、遊技者が好きなジャンルを入力することにより、そのジャンルに対応した商品情報やメーカー情報を表示するような構成が挙げられる。この場合、上記の「好みに関する商品一覧」や「ジャンルに対応した商品情報やメーカー情報」が選択情報に対応した広告関連情報に相当する。
【００２２】
手段６．前記広告表示制御手段は、所定の選択を行うための選択用情報を表示するように制御を行い、
この選択用情報は、前記第１地域用の選択用情報と、これとは地域範囲の異なる第２地域用の広告情報とを少なくとも表示可能に情報構成されており、
前記地域切替手段は、前記第１地域用の選択画面情報と、前記第２地域用の広告情報とを切り替え可能に構成されており、
前記遊技者入力手段により、その選択用情報に基づく選択情報が入力されることに応じて、その入力が行われた選択用情報に対応した地域に係る広告情報、又はその入力が行われた選択用情報に対応した地域に係る広告関連情報が表示可能となるように制御うことを特徴とする手段３に記載の利益付与情報提供装置。
【００２３】
このようにすれば、地域ごとに分けたかたちにて選択用情報が提供可能となり、遊技者の選択のし易さを効果的に高めることができると共に、地域毎に分けた広告情報の管理・提供が行いやすくなる。なお、「入力が行われた選択用情報に対応した地域に係る広告情報」を表示する場合には、例えば所定地域における広告情報に対応したインデックス情報を複数表示（例えば、商品名やキャッチフレーズ、メーカー名などをバナー広告として複数表示）し、いずれかのインデックス情報が選択されることに基づいてその選択されたインデックス情報に係る広告情報を表示するように構成できる。また、「入力が行われた選択用情報に対応した地域に係る広告関連情報」を表示する場合は、例えば遊技者が自分の好みを入力することに基づいて、対応する地域におけるその好みに関する商品一覧を表示したり、遊技者が好きなジャンルを入力することにより、そのジャンルに対応した商品情報やメーカー情報について対応地域のものを表示するような構成が挙げられる。この場合、上記の「好みに関する商品一覧」や「ジャンルに対応した商品情報やメーカー情報」が選択情報に対応した広告関連情報に相当する。
【００２４】
手段７．前記選択用情報を表示するタイミングを設定する選択用情報表示タイミング設定手段を備えたことを特徴とする手段５又は手段６に記載の利益付与情報提供装置。
【００２５】
このようにすれば、選択用情報の表示タイミングに特徴を持たせることが可能となる。表示タイミングは、特定の遊技状態が発生タイミング（例えば、大当り状態、リーチ状態、リーチ予告状態、確率変動状態、時短状態などの発生タイミング）、或いは遊技状態が所定の進行状態になったタイミング（例えばスタート回数が所定回数に達したタイミングなど）などが挙げられる。
【００２６】
手段８．複数の広告情報がグループ分けされて構成され、
前記広告表示制御手段は、それら分けられた広告グループに関する広告グループインデックスを前記選択用情報として前記所定表示装置にて選択可能に表示するように制御を行い、
遊技者による入力が可能に構成された遊技者入力手段により、前記選択情報としていずれかの広告グループインデックスを指定する指定情報が入力されること基づいて、その指定された広告グループに対応した広告情報を表示し、
その表示される広告情報に関連した利益付与情報を前記利益付与情報出力手段にて出力することを特徴とすることを特徴とする手段５ないし手段７のいずれかに記載の利益付与情報提供装置。
【００２７】
このようにすれば遊技者の要望に応じたグループに関する広告が提供されることとなる。
【００２８】
手段９．前記指定情報により指定された広告グループインデックスに対応する広告情報を切り替えて表示を行い、
いずれかの広告情報を表示した際に、遊技者からの要求情報があった場合には、その要求された広告情報に対応した利益付与情報を出力することを特徴とする手段８に記載の利益付与情報提供装置。
【００２９】
このようにすれば、指定されたグループにおいて広告情報が切り替わって表示されるため、多数の広告を遊技者に意識付けることができる。
【００３０】
手段１０．前記広告表示制御手段は、前記指定情報により指定された広告グループインデックスに対応して、さらに細分化された細分化インデックスを選択可能に表示し、その中からいずれかの細分化インデックスが選択されることに基づいて、その選択された細分化インデックスに関する広告情報、または、細分化インデックスの関連情報を表示するように制御を行うことを特徴とする手段８に記載の利益付与情報提供装置。
【００３１】
このようにすれば、遊技者の細かな要望を的確に反映できる構成となる。
【００３２】
手段１１．前記複数の広告情報は、広告の提供主体毎にグループ分けされており、  前記広告表示制御手段は、提供主体毎のインデックスを前記所定表示装置にて選択可能に表示するように制御を行い、
前記遊技者入力手段により、前記選択情報としていずれかの提供主体を指定する指定情報が入力されることに基づき、前記広告表示制御手段は、その指定された提供主体に対応した広告情報を表示可能とすることを特徴とする手段８ないし手段１０のいずれかに記載の利益付与情報提供装置。
【００３３】
このようにすれば、遊技者は好みの提供主体に係る広告情報を選択的に見ることができ、ひいては好みの提供主体の利益付与情報を取得できることとなる。この場合、指定された提供主体の広告情報をランダムに、或いは所定の条件に即して表示するようにしてもよく、指定された提供主体をさらに細分化したインデックス（例えば、指定された提供主体に係る各広告情報の個別のインデックス（具体的には指定したメーカが提供する商品についてのインデックスなど））を表示して、より具体的な選択を促してもよい。
【００３４】
手段１２．前記複数の広告情報は広告のジャンル毎にグループ分けされており、
前記広告表示制御手段は、ジャンル毎のインデックスを前記所定表示装置にて選択可能に表示するように制御を行い、
前記遊技者入力手段により、前記選択情報としていずれかのジャンルを指定する指定情報が入力されることに基づき、
前記広告表示制御手段は、指定されたジャンルに対応した広告情報を表示可能とするように制御を行うことを特徴とする手段８ないし手段１０のいずれかに記載の利益付与情報提供装置。
【００３５】
この場合、指定されたジャンルの広告情報をランダムに、或いは所定の条件に即して表示するようにしてもよく、指定されたジャンルをさらに細分化したインデックス（例えば、指定されたジャンルに係る各広告情報の個別のインデックス（具体的には、指定されたジャンルに関する商品のインデックスなど））を表示して、より具体的な選択を促してもよい。
【００３６】
手段１３．前記広告表示制御手段は、各広告情報の個別のインデックスを前記選択用情報として前記所定表示装置にて選択可能に表示するように制御を行い、前記遊技者入力手段により、前記選択情報としていずれかの広告情報の個別のインデックスを指定する指定情報が入力されることに基づき、前記広告表示制御手段は、その指定された個別のインデックスに係る広告情報を表示するように制御を行うことを特徴とする手段５ないし手段１２のいずれかに記載の利益付与情報提供装置。
【００３７】
このようにすれば、遊技者の要望をより精度高く反映した広告情報又は利益付与情報が提供されることとなる。
【００３８】
手段１４．前記選択用情報を、所定の画面設定条件に応じて設定変更する選択用情報設定変更手段を備えたことを特徴とする手段５ないし手段１３のいずれかに記載の利益付与情報提供装置。
【００３９】
このようにすれば、選択用情報が様々に設定可能となり、選択の幅が広がる。
【００４０】
手段１５．前記選択用情報設定変更手段は、遊技状態に基づいて前記選択用情報を設定することを特徴とする手段１４に記載の利益付与情報提供装置。
【００４１】
このようにすれば、遊技状態と選択用情報が互いに関連するものとなり、遊技の重要性を一層高めることができる。例えば、大当り状態の際の選択用情報とリーチ状態の際の選択用情報を異ならせるようにすることができる。
【００４２】
手段１６．遊技者に関する固有データからなる遊技者固有情報を取得する遊技者固有情報取得手段を備え、
前記選択用画面設定変更手段は、前記遊技者固有情報に応じた選択用画面を表示することを特徴とする手段１４に記載の利益付与情報提供装置。
【００４３】
このようにすれば、遊技者固有情報を取得できて遊技者に合った選択用画面を表示することができ、きめ細かなサービスが可能となる。
【００４４】
なお、手段１ないし手段５４に記載の利益付与情報提供装置において、遊技者に関する固有データからなる遊技者固有情報を取得する遊技者固有情報取得手段を備えるように構成し、この遊技者固有情報取得手段により前記遊技者固有情報が取得されることを条件として前記利益付与情報が提供されるように構成することができる。
【００４５】
このようにすれば、遊技者側は広告情報及び広告に関する利益付与情報によって利益を受けることができ、一方、利益付与情報の提供側は、遊技者に関する情報を現場で効果的に取得できることとなる。なお、遊技者固有情報が取得されなければ利益付与情報が提供されないように構成してもよい。
【００４６】
本明細書に記載の「遊技者固有情報」としては、遊技者、或いは遊技者の情報通信端末が特定可能な遊技者特定情報（例えば、電話番号やメールアドレス、所定のＩＤ等）などが挙げられる。また、情報通信端末内部、或いは近傍にＩＣチップなどの半導体メモリを配置し、この内部に遊技者情報が記憶されてなるいわゆるＩＣ機能付き携帯電話機（ＩＣカード付き携帯電話機ともいう場合がある）を対象とし、この半導体メモリに記憶された遊技者情報を、ＩＣリーダなどからなる固有情報取得手段により取得するようにしてもよい。
【００４７】
手段１７．遊技者に関する固有データからなる遊技者固有情報を取得する遊技者固有情報取得手段を備える一方、
遊技者に関するデータからなる遊技者データが記憶される遊技者データ記憶手段を備えた外部サーバとの間で通信を行う通信制御手段を備え、
前記遊技者固有情報に基づき、その遊技者固有情報に係る遊技者に関する遊技者データを前記外部サーバより取得する遊技者データ取得手段を備えたことを特徴とする手段１ないし手段１６のいずれかに記載の利益付与情報提供装置。
【００４８】
このようにすれば、取得した遊技者固有情報に基づいて遊技者データを取得でき、その遊技者データを考慮した利益付与情報の提供が可能となる。
【００４９】
手段１８．前記遊技者入力手段にて入力された情報に関する入力関連情報を、所定の外部サーバに送信する入力関連情報送信手段を備えたことを特徴とする手段１ないし手段１７のいずれかに記載の利益付与情報提供装置。
【００５０】
このようにすれば、入力データに関する情報を外部サーバにて蓄積することが可能となり、情報分析などに役立てることができる。外部サーバとしては、ホールサーバや遊技機メーカのサーバ、利益付与情報提供主体（利益付与情報を提供するメーカ等）のサーバなどが挙げられる。
【００５１】
手段１９．複数の提供主体の利益付与情報が提供可能に構成されており、
前記入力関連情報送信手段は、前記遊技者入力手段にて入力された情報に対応した提供主体の外部サーバに対して前記入力関連情報を送信することを特徴とする手段１８に記載の利益付与情報提供装置。
【００５２】
このようにすれば、複数の提供主体の利益付与情報が提供可能となり、かつ、各提供主体ごとに関連する有用な情報を取得できることとなる。
【００５３】
具体的には、手段１９に記載のものにおいて、遊技者入力手段によりいずれかの商品又は役務（以下、商品等ともいう）、若しくは提供主体に関する情報が入力された場合に、その入力に対応した、前記商品等を提供する提供主体、又は選択された提供主体のサーバに対して前記入力関連情報を送信するように構成できる。
【００５４】
手段２０．前記広告表示制御手段は、前記遊技者が蓄積したポイントに対応した広告情報、又は広告関連情報を表示するように表示制御を行うことを特徴とする手段１ないし手段１９のいずれかに記載の利益付与情報提供装置。
【００５５】
このようにすれば、遊技者の利用状況を大きく反映したサービスが行え、遊技者の利用促進につながる。
【００５６】
手段２１．前記遊技者入力手段による入力情報に基づいて抽選を行う抽選手段を備え、
この抽選手段による抽選結果に基づいて前記利益付与情報が提供されることを特徴とすることを特徴とする手段４ないし手段２０のいずれかに記載の利益付与情報提供装置。
【００５７】
このようにすれば、抽選によって利益付与情報の提供に面白みをもたせたり、高価な商品などを提供可能となり（即ち、万人に利益を提供するのではなく限られた特定の者に利益を提供するようにして高価商品等の提供が可能となり）、遊技者の興味や意欲を増大することが可能となる。
【００５８】
手段２２．前記広告情報の提供を行う広告モードと、提供を行わない通常モードを切り替える広告モード切替手段を備えたことを特徴とする手段１ないし手段２１のいずれかに記載の利益付与情報提供装置。
【００５９】
このようにすれば、広告を許容する遊技者、若しくは利益付与情報を必要とする遊技者のみに提供がなされ、不要とする遊技者には情報提供がなされないこととなるため、ユーザのニーズを的確に反映したサービスが可能となる。
【００６０】
手段２３．前記広告情報の表示条件を定める広告表示条件設定情報を更新可能に記憶する広告表示条件記憶手段を備え、
前記広告表示制御手段は、この広告表示条件記憶手段に記憶される前記広告表示条件設定情報に基づいて前記広告情報を表示することを特徴とする手段１ないし手段２２のいずれかに記載の利益付与情報提供装置。
【００６１】
このようにすれば、広告の表示条件を更新可能に設定できることとなり、状況に合わせて表示条件の設定変更が可能となる。なお、広告表示条件が成立することに基づいて広告情報が表示される構成としてもよく広告表示条件が成立した場合に前記選択用情報を表示するようにしてもよい。手段２３の広告表示条件設定情報としては、例えば広告の表示タイミングを定めるように情報構成することができる。
【００６２】
手段２４．前記広告表示条件記憶手段に記憶される前記広告表示条件設定情報を更新する設定情報更新手段を備えたことを特徴とする手段２３に記載の利益付与情報提供装置。
【００６３】
このようにすれば、広告表示条件設定情報を更新可能となり、様々な状況に対応して広告表示条件を様々に設定変更可能となるため、広告表示に関し自由度の高い構成を実現できる。
【００６４】
手段２５．前記広告表示条件設定情報を更新するための情報を入力するための設定更新情報入力手段を備え、
この更新情報入力手段にて前記広告表示条件設定情報を更新する更新情報が入力されることに基づいて、その更新情報を反映して前記広告表示条件設定情報を更新することを特徴とする手段２４に記載の利益付与情報提供装置。
【００６５】
このようにすれば、各利益付与情報提供装置にて広告表示条件設定情報に関する更新情報の入力及び更新が可能となる好適構成となる。
【００６６】
手段２６．前記設定情報更新手段は、当該利益付与情報提供装置の外部に設けられた外部装置より前記広告表示条件設定情報を更新する更新情報が入力されることに基づいて、その更新情報を反映して前記広告表示条件設定情報を更新することを特徴とする手段２４に記載の利益付与情報提供装置。
【００６７】
このようにすれば外部から広告表示条件が設定変更可能となり、広告表示条件に関しメンテナンス性の高い構成となる。外部装置としてはホールサーバや遊技機メーカサーバ、提供主体サーバなどとすることができる。
【００６８】
手段２７．前記広告表示条件設定情報は、遊技に関する所定状態の発生を広告表示条件として定めるものである一方、
遊技状態に関する情報を検出する遊技状態検出手段を備え、
前記広告表示制御手段は、この遊技状態検出手段にて検出された遊技状態に関する情報と、前記広告表示条件設定情報とに基づいて前記広告情報の表示を行うことを特徴とする手段２３ないし手段２６のいずれかに記載の利益付与情報提供装置。
【００６９】
このようにすれば、遊技状態に基づいた広告を行うことができるため、遊技機と広告との関連性が高いものとなり、遊技機特有の広告方法が可能となる。
なお、手段２７、若しくは手段２７に後述する手段２８ないし手段５４の構成を適用した利益付与情報提供装置において、大当り当選、確率変動当選等の、遊技者に有利な遊技状態となることを広告表示条件として定めるように前記広告表示条件設定情報を構成できる。
【００７０】
このように、遊技者に有利な遊技状態においては、遊技者の気分が良くなり、心理的に広告を受け入れやすくなるため広告効果が高くなる。より具体的には、例えば、大当り遊技中において広告情報を表示するように前記広告表示制御手段により制御を行うことができる。大当り遊技中の演出は数回見ると飽きてしまう虞があるが、上記構成によれば、「飽き」を効果的に抑制でき、かつ、遊技者が気分のいい状態の際に効果的に広告を意識付けることが可能となる。より具体的には、手段２７に記載の利益付与情報提供装置において、大当り当選、確率変動当選等の遊技者に有利な遊技状態を検出する有利状態検出手段を設けるように構成できる。
【００７１】
手段２８．前記広告表示条件設定情報は、遊技状態の種類毎に、提供される広告情報が対応して定められるものであり、
前記広告表示制御装置は、発生する遊技状態の種類に応じて対応する広告情報を表示可能とするように制御を行うことを特徴とする手段２７に記載の利益付与情報提供装置。
【００７２】
このようにすれば、複数の広告情報を提供できる好適構成となる。
【００７３】
具体的には手段２８、若しくは手段２８に後述する手段２９ないし手段５４の構成を適用した利益付与情報提供装置において、前記広告表示条件設定情報は、図柄変動発生状態、リーチ予告状態、リーチ状態、大当り状態、確率変動状態、時短状態のうちの少なくとも２種以上の遊技状態に対応させて広告情報を定めることができ、いずれかの遊技状態の発生に応じてその定められる広告情報を表示するように制御を行うことができる。
【００７４】
手段２９．前記広告表示条件設定情報は、大当り組み合わせの種類に対応して広告情報が定められており、
前記広告表示制御装置は、発生する大当りの種類に応じて対応する広告情報を表示するように制御を行うことを特徴とする手段２８に記載の利益付与情報提供装置。
【００７５】
このようにすれば大当りの組み合わせに応じた広告情報が提供されるため、大当りの組み合わせが意味深いものとなり、大当り演出に面白みをもたせることができる。
【００７６】
手段３０．前記広告情報を更新可能とされた状態で記憶する広告情報記憶手段を備えたことを特徴とする手段１ないし手段２９のいずれかに記載の利益付与情報提供装置。
【００７７】
このようにすることにより、遊技機内、又は遊技機の近傍において広告情報を記憶しておき、必要に応じて変更できることとなる。例えば、期間限定商品や、流行の影響をうける商品などの広告を行うような場合において特に効果的となる。
【００７８】
広告情報記憶手段は、複数種類の広告情報のデータを記憶するように構成できる。この広告情報記憶手段は、利益付与情報の記憶手段としても機能させることができる。この場合、広告情報と対応するように利益付与情報のデータを記憶しておくようにすることができる。またこのようにせずに、広告情報記憶手段とは別個の記憶手段として利益付与情報記憶手段を構成してもよい。
【００７９】
手段１ないし手段３０のいずれかに記載の利益付与情報提供装置、若しくはこれらに手段３１ないし手段５４に記載の構成を付加したものにおいて、前記広告情報を更新可能とされた状態で記憶する、前記遊技機の外部の広告情報記憶手段より、通信ネットワークを介して前記広告情報を取得する広告情報取得手段を備えるようにしてもよい。
【００８０】
このようにすれば、遊技機内に広告情報記憶手段を設けにくい場合において効果的な構成となる。より具体的には、所定の広告表示条件の成立に基づいて、前記広告情報記憶手段を備えたサーバなど（例えば、ホールサーバ、遊技機メーカサーバ、利益付与情報提供メーカサーバなどの所定のサーバ）に対して広告表示要求情報を送信し、この広告表示要求情報を受けたサーバからその要求元に対して広告情報を送信するように構成できる。また、このような要求を行わないようにして広告情報を表示するようにしてもよい。
【００８１】
手段３１．前記広告情報記憶手段に記憶される前記広告情報を更新する広告情報更新手段を備えたことを特徴とする手段３０に記載の利益付与情報提供装置。
【００８２】
このようにすれば、広告情報を更新可能となり、様々な状況に対応して提供する広告情報を様々に変更可能となる。
【００８３】
手段３２．前記広告情報を更新するための情報を入力するための広告更新情報入力手段を備え、
前記広告情報更新手段は、この広告更新情報入力手段にて前記広告情報を更新する広告更新情報が入力されることに基づいて、その広告更新情報を反映して前記広告情報記憶手段に記憶される広告情報を更新することを特徴とする手段３１に記載の利益付与情報提供装置。
【００８４】
このようにすれば、各利益付与情報提供装置にて広告更新情報の入力・更新が可能となる好適構成となる。
【００８５】
手段３３．前記広告情報更新手段は、当該利益付与情報提供装置の外部に設けられた外部装置より前記広告情報を更新する広告更新情報が入力されることに基づいて、その広告更新情報を反映して前記広告情報記憶手段に記憶される広告情報を更新することを特徴とする手段３１に記載の利益付与情報提供装置。
【００８６】
このようにすれば外部から広告情報が設定変更可能となり、広告情報に関しメンテナンス性の高い構成となる。外部装置としてはホールサーバや遊技機メーカサーバ、提供主体サーバなどとすることができる。
【００８７】
手段３４．前記所定表示装置は、遊技に関する画像演出を行うように前記遊技機において設けられた第１表示手段とは異なる第２表示手段からなり、
前記広告表示制御手段は、前記広告情報をこの第２表示手段にて表示するように制御を行うことを特徴とする手段１ないし手段３３のいずれかに記載の利益付与情報提供装置。
【００８８】
このようにすれば、広告情報の表示が行いやすい構成となる。例えば、第１表示手段内にて広告情報を表示しにくい場合や、第１表示手段以外で広告を表示したい場合には有効な構成となる。この場合、第２表示手段の表示制御を行う第２表示制御手段を広告表示制御手段として機能させることができる。
【００８９】
手段３５．前記第２表示手段は、遊技盤の外部に配置される外部表示装置からなることを特徴とする手段３４に記載の利益付与情報提供装置。
【００９０】
手段３６．前記所定表示装置は、遊技に関する画像演出を行う第１表示手段として構成されるものであり、
前記広告表示制御手段は、前記広告情報をこの第１表示手段にて表示するように制御を行うことを特徴とする手段１ないし手段３３のいずれかに記載の利益付与情報提供装置。
【００９１】
このようにすれば、第１表示手段にて広告情報を表示させて注目を集めたい場合に効果的となる。即ち、遊技者が注目する第１表示手段において広告情報を表示するようにすれば、広告に対して注目しやすくなり、広告効果を高めることができる。この場合、第１表示手段の表示制御を行う第１表示制御手段を広告表示制御手段として機能させることができる。
【００９２】
なお、手段３４又は手段３６に記載の「遊技に関する画像演出」としては、図柄変動演出、背景画像演出、リーチ演出、リーチ予告演出、大当り演出、確率変動演出、時短演出、その他の画像演出など様々なものがある。第１表示手段は、このような演出を全て行うものであってもよく、いずれか１種、又は２種以上の演出を行うものであってもよい。
【００９３】
手段３７．前記広告情報又は前記利益付与情報に関する説明情報のうちの少なくともいずれかの情報が、背景画像、識別図柄等の、前記遊技に関する画像演出の一部画像として表示されるようになっていることを特徴とする手段３６に記載の利益付与情報提供装置。
【００９４】
このように遊技に関する画像演出の一部画像として広告情報又は利益付与情報に関する説明情報を表示するようにすると、広告情報又は利益付与情報を効果的に意識付けることが可能となる。また、遊技の演出性をも高めうる構成となる。
【００９５】
手段３８．前記第１表示手段による画像演出と、前記広告情報の表示とが並行して行われるように構成されていることを特徴とする手段３４ないし手段３７のいずれかに記載の利益付与情報提供装置。
【００９６】
このようにすれば画像演出を中断することなく広告情報が表示できることとなり、興趣低下を招くことがなくなる。さらには、手段１ないし手段５４のいずれの利益付与情報提供装置においても、第１表示手段における画像演出と並行して利益付与情報に関する情報表示（例えば、携帯通信端末の操作説明情報、利益付与情報の内容説明情報の表示など）を行うようにすることができる。
【００９７】
手段３９．時間情報を検出可能な時間情報検出手段を備える一方、その時間情報検出手段によって検出される時間情報に基づいて、広告の表示開始タイミングを設定する表示開始タイミング設定手段を備えたことを特徴とする手段１ないし手段３８のいずれかに記載の利益付与情報提供装置。
【００９８】
手段４０．前記広告表示制御手段は、所定の広告時間帯に広告情報を表示するように制御を行うことを特徴とする手段３９に記載の利益付与情報提供装置。
【００９９】
このようにすれば、広告情報が表示される時間帯とそうでない時間帯とが設けられることとなり、状況に応じた広告提供が可能となる。例えば、タイムサービス的に広告情報を表示して利益付与情報を与えたりすることも可能となる。また、時間に関連した広告内容とすれば、広告に対する注目度を高めることも可能となる。例えば、食事時間帯に飲食物に関する広告情報を表示するようにすれば、遊技者の注目を効果的に集めることができる。
【０１００】
手段４１．前記広告表示制御手段は、時間帯に応じて異なる広告情報が表示されるように制御することを特徴とする手段３９又は手段４０に記載の利益付与情報提供装置。
【０１０１】
このようにすれば、時間帯毎に種類の異なる広告情報を表示することが可能となり、広告が多様なものとなる。また、単一メーカについての複数種類の広告情報を表示したり、複数種類のメーカの広告情報を表示するといったことも可能となるため、ビジネスの自由度を増大させることができる。また、時間帯毎に適した広告情報を表示できることともなる。
【０１０２】
手段４２．前記広告表示制御手段は、所定の遊技状態の発生量に応じて広告情報が表示されるように制御を行うことを特徴とする手段１ないし手段４１のいずれかに記載の利益付与情報提供装置。
【０１０３】
このようにすれば、遊技状態の発生量を広告表示のパラメータとしたい場合に都合のよい構成となる。なお、「所定の遊技状態の発生量」としては、大当り回数、リーチ回数、図柄変動回数、リーチ予告回数、確率変動回数、時短回数などが挙げられ、これらのうちの１種の遊技状態の発生量であってもよく、又は２種以上の遊技状態の発生量であってもよい。「所定の遊技状態の発生量に応じて広告情報が表示される」構成とは、「遊技状態の発生量」を広告表示の条件とするような構成とすることができ、例えば、前回の広告表示から大当り発生回数が所定回数に達した場合に広告情報を表示するように構成してもよい。また、「所定の遊技状態の発生量に応じて広告情報が表示される」構成として、遊技状態の発生量に応じて表示される広告の種類を変えるような構成としてもよい。例えば、大当りの発生を広告表示条件とした場合に、前回の広告表示からのリーチ発生回数に応じた種類の広告表示がなされるように構成してもよい。なお、遊技状態の発生量に応じて広告情報を表示する構成であれば、これらの例に限られない。
【０１０４】
手段４３．前記広告表示制御手段は、遊技時間に応じた広告情報が表示されるように制御することを特徴とする手段１ないし手段４２のいずれかに記載の利益付与情報提供装置。
【０１０５】
このようにすれば、遊技時間を広告表示のパラメータとしたい場合に都合のよい構成となる。「遊技時間に応じた広告情報の表示」を行う構成としては、例えば、「遊技時間が所定時間に達することにより広告情報を表示する」構成、即ち、遊技時間が所定時間に達することを広告表示の条件とするような構成とすることができる。遊技時間としては、例えば、前回の広告表示からの積算時間とすることができる。また、「遊技時間に応じた広告情報の表示」を行う構成として「遊技時間に応じた種類の広告情報が表示される」ような構成としてもよい。例えば、所定の広告表示条件が成立した場合に、前回の広告表示からの積算時間に応じた種類の広告情報を表示するようにできる。また、前回の広告表示からの積算時間とせずに、通算した積算時間としてもよい。例えば、所定の広告表示条件が成立した場合に、遊技者が遊技を開始してからの積算時間に応じた広告情報を表示するようにしてもよい。例えば、積算時間が１時間未満の場合には単なるビールの割引券に関連した広告情報を表示し、積算時間が１時間以上の場合にはビールの無料券に関連した広告情報を表示するようにして、積算時間が多いほど利益が大きくなるように構成することができる。
【０１０６】
手段４４．前記利益付与情報は、文字、図形、記号、バーコード、二次元コード等の識別情報として構成されるものであり、前記利益付与情報出力手段は、この識別情報を画像表示にて出力する識別情報表示手段からなることを特徴とする手段１ないし手段４３のいずれかに記載の利益付与情報提供装置。
【０１０７】
このようにすれば、利益付与情報を表示によって携帯通信端末に伝達できるため、遊技機と携帯通信端末との間に特別な通信線などを設けなくとも情報を送ることができ、装置構成の簡素化を図ることが可能となる。なお、上述した第２表示手段や第１表示手段をこの識別情報表示手段として機能させることができる。
【０１０８】
手段４５．遊技機において、又は遊技機の近傍において設けられると共に、遊技者に対して所定の利益を情報として提供する利益付与情報提供装置であって、
所定表示装置と、
この所定表示装置において広告情報の表示を行うように制御する広告表示制御手段と、
この広告表示に関連した、クーポン券、商品券等の遊技者に対して利益を付与する利益付与情報を、所定の携帯通信端末に対して出力する利益付与情報出力手段とを備え、
前記利益付与情報は、文字、図形、記号、バーコード、二次元コード等の識別情報として構成されるものであり、前記利益付与情報出力手段は、この識別情報を画像表示にて出力する識別情報表示手段を備えたことを特徴とする利益付与情報提供装置。
【０１０９】
手段４５の構成（即ち、請求項２の構成）によれば、利益付与情報を表示によって携帯通信端末に伝達できるため、遊技機と携帯通信端末との間に特別な通信線などを設けなくとも情報を送ることができ、装置構成の簡素化を図ることが可能となる。また、遊技者による情報入力が可能に構成されており、入力情報に基づいて利益付与情報に関する所定の選択がなされるように構成されているため、利益付与情報の提供に関し遊技者の意思を反映しやすい構成となる。
【０１１０】
手段４６．前記識別情報は、前記利益付与情報を所定のコード情報として表すように構成されるものであり、
前記識別情報表示手段は、このコード情報を、前記携帯通信端末にて撮影可能な情報として、又は前記携帯通信端末に設けられた読取装置にて読み取り可能な情報として画像表示することを特徴とする手段４４又は手段４５に記載の利益付与情報提供装置。
【０１１１】
このように、識別情報をコード情報として画像表示し、携帯通信端末にて読み取らせるか、又は撮影させるように構成すれば、多量の情報を簡易な構成にて確実に送ることのできる構成となる。コード情報としてはバーコード、二次元コードなどを例示できるがこれに限られない。
【０１１２】
手段４７．前記コード情報を生成するコード情報生成手段を備えたことを特徴とする手段４６に記載の利益付与情報提供装置。
【０１１３】
このようにすれば、状況に応じて多種のコードを遊技機内、又はその近傍で生成できることとなり、利益付与情報の構成上の自由度が増すこととなる。「遊技機の近傍に配置される所定の装置」は例えば、球貸機等の台間装置や遊技機に接続される利益付与情報提供装置（後述）などが挙げられる。より具体的には例えば、前記遊技機内、又は前記遊技機の近傍において、前記利益付与情報出力手段を備えてなる利益付与情報提供装置を配置し、その利益付与情報提供装置の内部にコード情報手段を設けるように構成できる。なお、数値データや文字データをコード情報に変換する技術に付いては公知であるので詳細な説明は省略するが、例えばこのような変換を行うプログラムに基づいてＣＰＵをコード情報生成手段として機能させることができる。
【０１１４】
手段４８．前記コード情報生成手段は、遊技中に遊技機内で生成された遊技機内生成情報に基づいて前記コード情報を生成することを特徴とする手段４７に記載の利益付与情報提供装置。
【０１１５】
このようにすれば、遊技機内で生成された情報（遊技情報等）に基づいてコード情報が生成され、携帯通信端末に伝達できることとなるため、遊技機内で生成された情報を利益付与サービスに利用することができる。したがって、クーポン券、商品券等の内容や提供条件などが遊技機内容と関連付けやすくなり、遊技機と関連したサービスを自由度高く行うことができる。より具体的には、例えば遊技機内で生成された数値データに基づいて利益付与情報を文字、数字、図柄などで表現可能な情報として生成し、これを所定のプログラムによりバーコードや二次元コードなどに変換するように構成できる。例えば、遊技機内生成情報の内容に応じた利益付与情報を利益付与情報記憶手段から読出し、この利益付与情報、又はこの利益付与情報及びこれに付加される付加情報をコード化するようにしてもよい。なお、文字や数字データを二次元コードに変換するソフトウェア技術については公知であるので詳細な説明は省略するが、例えば、このような変換を行うプログラムを利益付与情報提供装置内のＲＯＭなどに記憶しておき、このプログラムを実行するようにして遊技機内生成情報に基づくコード情報を生成できる。この場合、上述した通り、ＲＯＭからのプログラム読出し等を行うＣＰＵがコード情報生成手段として機能することとなる。
【０１１６】
本明細書でいう「遊技機内生成情報」とは、遊技機内にて生成される様々な情報を対象とできるが、例えば遊技に関する情報である遊技情報であってもよく、遊技以外の情報であってもよい。遊技以外の情報例としては、例えば、日付情報、時刻情報などの時間情報であってもよく、遊技機内で遊技者に関する何らかのデータを用いる場合には遊技者に関する情報（遊技者に関する個人情報等）などであってもよい。また、本明細書でいう「遊技情報」とは、図柄変動状態、大当り状態、リーチ状態、リーチ予告状態、確率変動状態、時短状態などの遊技において発生する所定状態に関する情報であり、これらの回数情報（例えば、図柄変動回数、大当り発生回数など）、これらの発生確率情報（例えば、リーチ発生確率、大当り発生確率など）、これらの発生間隔情報（例えば、大当り発生間隔、確率変動発生間隔）、これら状態を１種又は２種以上を用いた統計情報などが挙げられる。なお、手段４７及び手段４８ではコード情報生成手段によりコード情報を生成するようにしているが、このようにせずに予めコード情報としての構成で記憶しておいてもよい。例えば、利益付与情報を二次元コードとしての画像データの形式で利益付与情報記憶手段に記憶しておくようにしてもよい。この場合、記憶手段から読み出せばそのままコード情報が表示できることとなる。
【０１１７】
手段４９．当該利益付与情報提供装置の外部より遊技情報を取得する遊技情報取得手段を有し、
前記コード情報生成手段は、この遊技情報取得手段にて取得された遊技情報に基づいて前記コード情報を生成することを特徴とする手段４７又は手段４８に記載の利益付与情報提供装置。
【０１１８】
このように遊技情報に基づく情報をコード化して携帯通信端末に送信することにより、遊技情報を利益付与サービスに用いることができる。なお、遊技情報に基づいてコード情報を生成する構成としては、遊技情報に応じて提供すべき利益付与情報を定めそれをコード化する構成であってもよく、利益付与情報の一部情報として遊技情報を含むような構成の情報、或いは利益付与情報についての付加情報として遊技情報が添付される構成の情報などをコード情報生成手段によりコード化するような構成であってもよい。
【０１１９】
手段５０．前記利益付与情報出力手段は、前記利益付与情報を前記携帯通信端末に対して無線送信する無線送信手段からなることを特徴とする手段１ないし手段４３のいずれかに記載の利益付与情報提供装置。
【０１２０】
このようにすれば、特別な通信線を用いずとも、遊技機から直接利益付与情報を情報取得しやすい構成となる。無線送信の例としては、赤外線通信、ブルートゥース通信、無線ＬＡＮ通信などを用いた送信が挙げられ、これらの通信に用いられるインターフェース（赤外線発光チップ、アンテナ等）を無線送信手段として構成できる。
【０１２１】
手段５１．前記無線送信手段は、前記利益付与情報を、赤外線、電磁波等の情報伝達媒体として出力する媒体出力部を備えたことを特徴とする手段５０に記載の利益付与情報提供装置。
【０１２２】
このようにすれば、無線通信によって情報伝達が行える好適構成となる。
より具体的には、透明板（ガラス板）を介さずに情報出力を行うように媒体出力部を構成することができる。また、前記情報伝達媒体を無指向性のものとして出力するようにしてもよく、指向性を有する状態にて出力することもできる。「媒体出力部」としては、赤外線を発光する赤外線発光部として構成してもよく、電波等の電磁波を出力するアンテナとして構成してもよい。
【０１２３】
手段５２．前記媒体出力部が、当該遊技機の前方又はほぼ前方に向けて前記情報伝達媒体を出力することにより、当該遊技機と遊技者との間に情報通信可能な領域が構成されるようになっており、
この情報通信可能な領域にて前記携帯通信端末が配置された状態で、前記情報伝達媒体が前記媒体出力部から出力されるようにして無線通信が行われることを特徴とする手段５１に記載の利益付与情報提供装置。
【０１２４】
このようにすれば、遊技機の前方で遊技者が情報取得できる好適構成となる。
例えば、利益付与情報が取得しにくい位置にて提供されるものである場合には、その取得に手間取るため面倒となる可能性があり、利益付与情報の利用が阻害される懸念もあるが、上記構成によれば、取得しやすい位置に情報が発せられることとなるため、容易に情報を取得できることとなり、ひいては利益付与情報の利用を促進できることとなる。
【０１２５】
手段５３．遊技者により入力可能に構成される遊技者入力手段にて遊技者から所定の要求情報が入力されることが広告情報の表示条件とされることを特徴とする手段１ないし手段５２のいずれかに記載の利益付与情報提供装置。
【０１２６】
このようにすれば、遊技者からの要求に応じて利益付与がなされる構成となり、遊技者が要求しなければ広告が表示されないため、ユーザの意思を反映しやすい構成となる。
【０１２７】
手段５４．インターネット等の通信ネットワークを用いて双方向通信を行うための通信制御手段を備えてインターネット利用可能とされたことを特徴とする手段１ないし手段５３のいずれかに記載の利益付与情報提供装置。
【０１２８】
このようにすれば、遊技機及びインターネットの双方を利用して遊技者に斬新なサービスが提供できることとなり、サービスの自由度を非常に大きくすることができる。
【０１２９】
手段１ないし手段５４のいずれかに記載のものにおいて、前記利益付与情報記憶手段を備えると共に、この利益付与情報記憶手段から前記利益付与情報を読み出す利益付与情報読出手段を備えた構成とすることができる。
このように、利益付与情報提供装置内に利益付与情報記憶手段及び利益付与情報読出手段を設けることにより、遊技者に利益付与情報を迅速に提供できることとなる。
この場合、前記利益付与情報記憶手段を更新可能な記憶手段として設けるようにするとよい。このようにすることにより、迅速に利益付与情報を提供できる構成となる。また、更新可能な記憶手段として構成されるため、状況に応じて利益付与情報内容が変更できることとなり、ホールや遊技者のニーズを満たす細かなメンテナンスが可能となる。例えば、遊技機内又は遊技機近傍に利益付与情報提供装置を設け、その内部に利益付与情報記憶手段を設けるようにすれば、インターネット等の通信ネットワークを介さずとも利益付与情報を読み出して提供できることとなるため、迅速な提供を行う場合には特に効果的となる。なお、「更新可能な記憶手段」とは不揮発性メモリやハードディスクドライブのように書換可能な固定記憶媒体などにより構成してもよく、カード状、スティック状の半導体メモリや移動可能なフレキシブルディスク、光読取り可能なディスクなどの移動記憶媒体及びその移動記憶媒体を読取る装置により構成してもよい。
【０１３０】
また、手段１ないし手段５４のいずれかに記載のものにおいて、利益付与情報を更新する利益付与情報更新情報が、所定の更新情報入力手段による情報入力、又は通信ネットワークを介した情報入力によって入力されることにより、利益付与情報記憶手段に記憶される情報を更新する利益付与情報更新手段を備えた構成とすることができる。
このようにすれば、利益付与情報を更新する更新情報が入力されることに基づいて記憶される利益付与情報が更新されることとなるため、メンテナンス性の高い装置構成となる。
【０１３１】
また、手段１ないし手段５４のいずれかに記載のものにおいて、当該利益付与情報提供装置の外部に設けられた利益付与情報記憶手段から読み出される前記利益付与情報を取得する利益付与情報取得手段を備えた構成としてもよい。
このようにすれば、利益付与情報提供装置内に利益付与情報提供手段を設け難い場合や、サーバなどの外部装置により利益付与情報記憶手段を管理したい場合などに有効な構成となる。
この場合、例えば、前記利益付与情報記憶手段は、当該利益付与情報提供装置と通信可能に構成された外部サーバにおいて更新可能な記憶手段として設けられていてもよい。このように構成することにより、外部サーバ側で利益付与情報の記憶内容のメンテナンスを行いやすい構成となる。従って、外部サーバにて利益付与情報の管理を行いたい場合などには有用な構成となる。外部サーバとしては、例えば、ホールサーバ、利益付与情報を提供するメーカのサーバ、或いは遊技機メーカのサーバ、その他の管理サーバなどが挙げられる。
【０１３２】
また、手段１ないし手段５４のいずれかに記載の利益付与情報提供装置において、前記利益付与情報記憶手段が設けられた所定装置（外部サーバなど）に対して利益付与情報を要求する要求信号を出力する要求信号出力手段を備えるように構成できる。この場合、要求信号を取得したその所定装置（外部サーバなど）において、利益付与情報が利益付与情報記憶手段より読み出され、当該利益付与情報提供装置にその利益付与情報が送信されることとなる。
【０１３３】
また、手段１ないし手段５４のいずれかに記載の利益付与情報提供装置において、
当該利益付与情報提供装置をを前記遊技機の外部に配置して、前記遊技機又はこれに接続される遊技機周辺装置に取付けるように構成し、
さらに、前記遊技機又は前記遊技機周辺装置からの情報を取得するように構成することができる。
【０１３４】
このようにすれば、遊技機内に利益付与情報を設け難い場合などに有効な構成となる。また、利益付与情報提供装置の製品管理（生産、販売、保管等）を遊技機とは独立して行うことも可能となる。なお、「遊技機周辺装置」としては、遊技機近傍においてこの遊技機に接続される装置であればよく、球貸装置などからなる台間装置や、遊技機に接続されて大当り回数、図柄変動回数などの遊技情報を表示する遊技情報表示装置（例えば、遊技機の上部に配置されるようなもの）などが挙げられる。
【０１３５】
また、手段１ないし手段５４のいずれかに記載の利益付与情報提供装置において、当該利益付与情報提供装置を、前記遊技機、又は前記遊技機の周辺装置に設けられた外部接続用の端子に着脱可能に接続されるように構成してもよい。
【０１３６】
このようにすれば、利益付与情報提供装置が遊技情報を取得できる好適構成となり、また、様々な遊技機に汎用的に対応できる構成ともなる。
【０１３７】
また、手段１ないし手段５４のいずれかに記載の利益付与情報提供装置において、当該利益付与情報提供装置を、前記遊技機の内部に配置されるように構成し、遊技の主制御を行う主制御装置、又はこの主制御装置の周辺装置から情報を取得するように構成してもよい。
【０１３８】
このようにすれば、遊技機内部に利益付与情報提供装置が配置できて斬新な遊技機構成を実現できる。また、スペース的な要因などにより遊技機外にこのような利益付与情報提供装置を配置しにくい場合に効果的な構成となる。
【０１３９】
また、手段１ないし手段５４のいずれかに記載の利益付与情報提供装置において、当該利益付与情報提供装置を、前記遊技機内においてこの遊技機から少なくとも一部を露出する形態にて配置されるように構成してもよい。
【０１４０】
このように当該利益付与情報提供装置を遊技機内に配置し、かつその一部を遊技機から露出するように構成すれば、遊技機内に利益付与情報提供装置を配置する構成のものにおいて、遊技機から遊技者に対して情報出力が行いやすい構成となる。例えば、少なくとも利益付与情報出力手段を遊技機から露出させるように構成すれば、遊技機内に利益付与情報を配置しつつ、遊技機前方に情報出力が行いやすい好適構成となる。
【０１４１】
また、手段１ないし手段５４のいずれかに記載の利益付与情報提供装置において、当該利益付与情報提供装置を、少なくとも遊技盤を備えて遊技機の枠体に対して取替え可能に構成される取替えユニット部の外部に配置されるように構成してもよい。
【０１４２】
このように当該利益付与情報提供装置を遊技機の枠体に対して取替え可能な取替えユニット部の外部に配置するように構成すれば、遊技盤を交換して他の遊技盤を配置するようないわゆる「板替え」の際に、交換後の遊技盤に対して利益付与情報提供装置が適用できる構成となり、部品を効果的に流用できる構成となる。より具体的には、遊技盤及びこの遊技盤に配置される部品を制御する制御装置を含むようにして板替えの際に交換可能な「取替えユニット」を構成でき、この取替えユニットの外部に当該利益付与情報提供装置を配置するように構成できる。より具体的には、ガラス扉枠、前枠などの枠体や、機構板、基板ボックス取付けベース（取替えユニットと独立して配置されるか、取替えユニットと容易に着脱できるように配置されるものなど）などに配置することができる。また利益付与情報提供装置は、単一のユニットとして構成してもよく、複数の部品により構成してもよい。単一の部品により構成する場合には、後述する図２４のように、単一のユニットとして取替えユニットの外部に配置することができ、複数の部品により構成する場合には、全ての部品を取替えユニットの外部に配置するようにできる。例えば、前記所定表示装置や利益付与情報出力手段などを図２４のようにガラス扉枠や前枠に取り付けて遊技機から位置が露出するように構成し、一方、これらに接続する基板（後述する通信制御基板や外部表示制御基板など）を機構板や基板ボックス取付けベースなどに配置するようにしてもよい。なお、取付け構成はこれらに限定されない。
【０１４３】
手段５５．手段１いし手段５４のいずれかに記載の利益付与情報提供装置を備えたことを特徴とする遊技機。
【０１４４】
このようにすれば、当該遊技機近傍の遊技者に対して直接利益付与情報を提供することができ、遊技者にとって斬新で面白みのある遊技機となる。
【０１４５】
手段５６．手段１ないし手段５４のいずれかに記載の利益付与情報提供装置を備えたことを特徴とする遊技システム。
【０１４６】
このように構成すれば、利益付与情報提供装置を用いて遊技機近傍から遊技者に利益を付与することのできる斬新なシステムが構築できる。
【０１４７】
なお、本発明でいう遊技機とは、パチンコ機やスロットマシン、あるいはパチンコ機とスロットマシンとを融合させたものを含む。パチンコ機の基本構成としては、操作ハンドルを備え、その操作ハンドルの操作に応じて球を所定の遊技領域へ発射し、球が遊技領域内の所定の位置に配設された始動入賞口（作動口）に入賞（又は作動ゲートを通過）することを必要条件として、表示装置において動的表示されている識別情報が所定時間後に確定停止されるものが挙げられる。また、特別遊技状態の発生時には、遊技領域内の所定の位置に配設された変動入賞装置（特定入賞口）が所定の態様で開放されて球を入賞可能とし、その入賞個数に応じた有価価値（景品球のみならず、磁気カードへ書き込まれるデータ等も含む）が付与されるものが挙げられる。
【０１４８】
また、スロットマシンの基本構成としては、複数の識別情報からなる識別情報列を動的表示した後に識別情報を確定表示する可変表示手段を備え、始動用操作手段（例えば操作レバー）の操作に起因して識別情報の動的表示が開始され、停止用操作手段（例えばストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段を備えたものが挙げられる。この場合、遊技媒体は、コイン、メダル等が代表例として挙げられる。
【０１４９】
また、パチンコ機とスロットマシンとを融合させたものの基本構成としては、複数の識別情報からなる識別情報列を動的表示した後に識別情報を確定表示する可変表示手段を備え、始動用操作手段（例えば操作レバー）の操作に起因して識別情報の動的表示が開始され、停止用操作手段（例えばストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段を備え、遊技媒体として球を使用するとともに、前記識別情報の動的表示の開始に際しては所定数の球を必要とし、特別遊技状態の発生に際しては多くの球が払い出されるように構成されたものが挙げられる。
【０１５０】
【発明の実施の形態】
＜第１実施形態＞
以下、利益付与情報提供装置を具体化した一実施の形態につき図面を参照しつつ説明する。
（利益付与情報を提供するための基本的構成）
図１、図２に示すように、本実施形態の利益付与情報提供装置３０は、遊技機１に対応して、遊技機１において、又は遊技機１近傍において設けられるものであり、クーポン券、商品券等の遊技者に対して利益を付与する利益付与情報を所定の携帯通信端末に対して出力する利益付与情報出力手段（ここでは赤外線発光部３３により利益付与情報出力手段を構成）を備えた構成をなすものである。そして、利益付与情報が電子データとして記憶される利益付与情報記憶手段から所定の利益付与条件の成立に基づいて読み出される利益付与情報を、携帯通信端末によって取得可能となる情報として利益付与情報出力手段より出力するようになっている。なお、利益付与情報記憶手段、及びこの利益付与情報記憶手段から利益付与情報を読み出す利益付与情報読出手段の配置についてはいくつかの例が考えられるが、ここでは利益付与情報提供装置３０内に利益付与情報記憶手段及び利益付与情報読出手段を設けた構成例を示している。
【０１５１】
利益付与情報提供装置３０は、上述したように遊技機１に対応して、遊技機１内、又は遊技機１の近傍に設けることができるが、本実施形態では遊技機１固有のものとしてこの遊技機１に利益付与情報提供装置３０が設けられた例を示しており、この構成により遊技機１から利益付与情報が出力されるようになっている。なお、遊技機１の外部であってその近傍に利益付与情報提供装置３０を設けてもよいが、この構成については後述する他の実施形態にて説明するものとする。
【０１５２】
利益付与情報出力手段での情報出力の形態はいくつか考えられるが、本実施形態の利益付与情報出力手段は、利益付与情報読出手段にて読み出された利益付与情報を携帯通信端末（ここでは携帯電話機２００）に対して無線送信する無線送信手段として構成されている。なお、無線送信以外の出力構成（表示装置による画像出力等）については後述する他の実施形態にて説明する。
【０１５３】
無線送信手段は、利益付与情報を、赤外線、電磁波等の情報伝達媒体として出力する媒体出力部（本実施形態では後述する赤外線発光部３３）を備えた構成とすることができる。そして、遊技機１の前方に向けてこの媒体出力部より赤外線、電磁波等の情報伝達媒体が出力されることにより、この遊技機１と遊技者との間において、「携帯通信端末による情報取得が可能となる領域」が構成されるようになっている。そして、この「情報取得が可能となる領域」において携帯通信端末（携帯電話機２００等）が配置されている場合に、利益付与情報を含んでなる情報伝達媒体が媒体出力部から出力されることにより、携帯通信端末にて利益付与情報が取得可能となる。
【０１５４】
また、利益付与情報記憶手段の配置位置はいくつか考えられるが、本実施形態では、利益付与情報提供装置３０内にこの利益付与情報記憶手段が配置され、遊技機１内に設けられる構成をなしている。図２、図５の例では、不揮発性メモリ３９が利益付与情報記憶手段として機能している。この利益付与情報記憶手段は、ＲＯＭ等の書換不能な記憶手段としても良いが、不揮発性メモリ、ＲＡＭ、ＨＤＤなどの書換可能な記憶手段を用いて構成することができ、電源遮断後においても記憶保持されるものが望ましい。なお、利益付与情報記憶手段は、ＲＯＭ等の書換不能な記憶手段としても良い。また、利益付与情報記憶手段がこれ以外の配置位置をとる構成（たとえば、遊技機１の近傍やサーバなどに配置される構成等）については他の実施形態にて説明するものとする。
【０１５５】
さらに本実施形態では、遊技システム１００において、利益付与情報を更新する利益付与情報更新情報が、所定の入力手段による情報入力（例えば、情報入力装置４３による情報入力）、又は通信ネットワークを介した情報入力（例えば、ホールサーバや外部サーバからの情報入力）によって入力されるようになっており、利益付与情報記憶手段に記憶される情報を更新する利益付与情報更新手段を備えている。図２の例では、この利益付与情報更新手段が、利益付与情報提供装置３０内に設けられており、具体的にはＣＰＵ３６がこの機能を果たすようになっている。
【０１５６】
（広告情報を提供するための基本的構成）
さらに本実施形態では、広告情報の表示と関連した利益付与情報が提供されるように構成されており、以下において広告情報を表示するための構成について説明する。
図２に示すように、本実施形態の遊技システム１００において、遊技機１は、所定の表示装置において利益付与情報に関連した広告情報を表示するように制御を行う広告表示制御手段を備えている。ここでは、遊技領域９１の外部に配置される外部表示装置１０５において広告情報の表示を行うようにしており、外部表示制御基板１０５Ａ（後述）が広告表示制御手段、広告選択手段などとして機能することとなる。一方、遊技機１内、又は遊技機１の近傍において、遊技機の主制御を行う主制御装置（ここではメイン基板２１Ａ）とは別体にて、広告情報を更新可能とされた状態で記憶する広告情報記憶手段を設けることができ、本実施形態では利益付与情報提供装置３０内に広告情報記憶手段を設けている。なお、ここでは図２、図５に示すように利益付与情報提供装置３０内に外部表示制御基板１０５Ａが設けられており、この外部表示制御基板１０５Ａに取付ける構成にて（例えば、ＲＯＭ，ＲＡＭ、不揮発性メモリとして取りつける構成にて）広告情報を記憶する記憶手段を配置することができる。また、外部表示制御基板１０５Ａ内に設けずに不揮発性メモリ３９やＲＡＭ、ＨＤＤ等の更新可能な記憶手段や、ＲＯＭ等の更新不能な記憶手段を外部表示制御基板１０５Ａ外に設け、これを広告情報記憶手段として機能させるようにしてもよい。
【０１５７】
さらに遊技システム１００は、広告情報を更新する広告更新情報が、所定の入力手段による情報入力（例えば、情報入力装置４３による情報入力等）、又は通信ネットワークを介した情報入力（例えばホールサーバや外部サーバからの情報入力）によって入力されることにより、上述の広告情報記憶手段に記憶される情報を更新する広告情報更新手段を備えている。図２の例では、利益付与情報提供装置３０内に広告情報更新手段が設けられており、広告更新情報が入力されることに基づいて広告情報記憶手段の内容が更新されるようになっている。例えば、不揮発性メモリ３９を広告情報記憶手段として機能させる場合には、ここに記憶される内容を更新情報に基づいて書き換えるようにすることができる。
【０１５８】
（遊技機１の構成）
次に、本実施形態の遊技機１の具体的な構成について述べる。
本実施の形態の遊技機１は、遊技ホールに設置されたパチンコ島台のカウンタ台の上部にて複数横方向に並べられて設けられる。遊技機１は、図３に示すように、前部には前枠２が設けられ、さらにその前枠２に透明板保持扉としてのガラス扉枠３が取付けられている。ガラス扉枠３は、図２３にも示すように、上下に設けられた縦軸のヒンジ部３ｃにより前枠２に開閉可能に支持されている。
【０１５９】
また、図２３にて示すように、ガラス等からなる透明板８１が金属製の枠８２に嵌め込まれて一体的な透明板ユニット８０が構成され、この透明板ユニット８０がこのガラス扉枠３の裏面にて取付けられる構成をなしている。ここでは、枠８２において外向きに突出して形成された取付部８２ａとガラス扉枠３の裏面側に形成された取付部３ｄが、ネジ等の締結部材８３により結合されることにより、透明板８１がガラス扉枠３に組み付けられている。
【０１６０】
さらに、本実施形態の透明板８１は複数のガラス板（ここでは２枚のガラス板）を有してなる複層ガラスとして構成されており、円形形状、又は楕円等の略円形状をなしている。一方、図３に示すように、ガラス扉枠３は前方より平面視した場合にその外形が方形又は略方形形状をなすように構成されており、遊技機１の前部において、透明板８１の斜め下方のスペース（ここではガラス扉枠３の角部近傍）に後述する利益付与情報提供装置３０配置されている。
【０１６１】
図３，図２３に示すガラス扉枠３の後方には、図４に示す遊技盤７が配置されている。遊技盤７は略円形の遊技領域を有し、その遊技領域には第１種始動口４、特別表示装置（以下、単に「表示装置」という）５及び大入賞口６が設けられている。第１種始動口４は遊技球の通路を備え、その通路入口に羽根４ａが開閉可能に支持されている。表示装置５は、例えば図柄を動的に表示する図柄表示装置として構成できる。
【０１６２】
図３に戻り、ガラス扉枠３の下部には、賞球が払い出される上受け皿２ｂが装着されている。また、前枠２の窓孔より下方には下受け皿２ａが装着されている。下受け皿２ａは、前記上受け皿２ｂに入りきらない賞球や、上受け皿２ｂから球抜きした抜き球や、或いはファウル球等の余剰球を、余剰球出口から排出させて貯留させるものである。前枠２における下受け皿２ａの右側方には遊技球を発射するための発射ハンドル１７が回動操作可能に装着されている。発射ハンドル１７に対応する前枠２の裏側には駆動手段としてのモータ（図示せず）が装着されており、発射ハンドル１７の回動操作によってモータか駆動され、これにより打球杆（図示せず）が間欠動作されるとともに、前記発射ハンドル１７の回動角度に応じた弾発力に調節される。従って、前記モータ及び打球杆等によって球発射装置が構成されている。
【０１６３】
表示装置５は第１種始動口４の上方に設けられており、表示装置枠４０を有するとともに、その表示装置枠４０に囲まれて配置される液晶ディスプレイ（ＬＣＤ）からなる画面５ａを備えている。画面５ａには多種類の画像が表示されるが、その１つとして、左図柄列８、中図柄列９及び右図柄列１０が表示される。図柄列の数は前述したもの（３列）に限られず、１列、２列、４列以上であってもよい。各図柄列８乃至１０は、数字、記号等からなる複数の図柄によって構成されている。
【０１６４】
表示装置５では、図柄列８乃至１０での図柄変動が、遊技球の第１種始動口４への入賞により開始される。図柄変動は左図柄列８、右図柄列１０、中図柄列９の順に停止されるが、これは一例にすぎず、別の順序で停止されてもよい。全ての図柄列８乃至１０での図柄変動が停止したとき、表示されている図柄（以下「停止図柄」という）の組合せが、予め定められた組合せ（特定表示結果、以下「大当りの組合せ」という）、すなわち、同一種類の図柄が大当りラインに沿って並んでいるときの同図柄の組合せ（例えば、７７７）、となる場合がある。この停止図柄の組合せを、以下「大当り図柄」という。本実施形態では、大当りラインとして、水平方向へ延びるもの（上・中・下の３種類）と、斜め方向へ延びるもの（右下がり・左下がりの２種類）の合計５種類存在するが、これに限られない。例えば、大当りラインの数が１つであり、通常、「１ライン」と呼ばれているものであってもよい。そして、大当りの組合せが成立すると特別電動役物が作動し、遊技者にとって有利な特別遊技状態としての大当り遊技状態が到来し、より多くの賞球を獲得することが可能となる。
【０１６５】
さらに、遊技機１は大当り遊技状態の発生に先立ちリーチ遊技状態となる。ここで、リーチ遊技状態とは大当り遊技状態の直前の状態をいい、倒えば、右図柄列１０での図柄変動が、大当りライン上において左図柄列８での停止図柄と同一種類の図柄で停止し、かつ、その後に中図柄列９での図柄変動が左右両図柄列８，１０での停止図柄と同一種類の図柄で停止されれば最終的に大当りの組合せとなる状態を含む。また、図柄変動が停止すると、大当り遊技状態となる組合せで変動し、その図柄で停止されれば最終的に大当り遊技状態となる場合において、その変動中の状態もリーチ遊技状態に含まれる。これは、通常、全回転（全図柄）リーチと呼ばれているものである。
【０１６６】
大入賞口６は第１種始動口４の下方に設けられており、１つのＶゾーン１１、２つの通路１２，１３及びシャッタ１４を備えている。シャッタ１４は大入賞口用ソレノイド（以下、単に「ソレノイド」という）１５により作動させられ、Ｖゾーン１１及び通路１２，１３の各入口を開閉する。
【０１６７】
図４に示すように、遊技盤７には、始動口用スイッチ１８、Ｖゾーン用スイッチ１９及びカウントスイッチ２０が取付けられている。始動口用スイッチ１８は、遊技球の第１種始動口４への入賞を検出する。Ｖゾーン用スイッチ１９は遊技球のＶゾーン１１への入賞を検出し、カウントスイッチ２０は遊技球の大入賞口６への入賞を検出する。また、各スイッチ１８乃至２０の検出結果に基づきソレノイド１５及び表示装置５をそれぞれ駆動制御するために、制御装置２１が設けられている。制御装置２１は読出し專用メモリ（ＲＯＭ）、中央処理装置（ＣＰＵ）、ランダムアクセスメモリ（ＲＡＭ）等を備えている。ＲＯＭは所定の制御プログラムや初期データを予め記憶しており、ＣＰＵはＲＯＭの制御プログラム等に従って各種演算処理を実行する。ＲＡＭはＣＰＵによる演算結果を一時的に記憶する。
【０１６８】
尚、より詳細には、制御装置２１は、遊技機１の主制御を行う主制御装置（メイン基板）と、メイン基板からの信号によって各部を制御するための表示制御基板、音量調整基板、ＬＥＤ基板、払出し制御基板等の各種のサブ基板とから構成されており、不正信号がメイン基板へ入力されることを防止するために、信号の伝送方向は、メイン基板からサブ基板への一方向のみとなっている。なお、少なくともメイン基板にＣＰＵ、ＲＯＭ、ＲＡＭ、その他の電子部品が配置されるように構成できるが、メイン基板以外においてＣＰＵ、ＲＯＭ、ＲＡＭ、その他の電子部品を配置することができる。
【０１６９】
なお、ＣＰＵによる制御の１つとして、大当り遊技状態の発生確率を条件に応じて変動させる、いわゆる確率変動がある。具体的には、１／３００程度の低確率で大当り遊技状態を発生させる低確率モードと、その約５倍である１／６０程度の高確率で大当り遊技状態を発生させる高確率モードとが用意されており、大当り図柄の種類に応じて確率モードが切替えられる。すなわち、大当り図柄が、予め定められた特別図柄（例えば奇数図柄）であると高確率モードに設定され、予め定められた通常図柄（例えば偶数図柄）であると低確率モードに設定される。なお、低確率モードでの発生確率に対する高確率モードでの発生確率の倍数は、前述した値（約５）以外の値であってもよい。
【０１７０】
また、ＣＰＵの出力ポートには、外部接続端子板１６が接続されている。また、外部接続端子板１６は、ホールコンピュータに接続されるホールコンピュータ用の出力端子１６Ａ〜Ｄと、利益付与情報提供装置３０に接統される利益付与情報提供装置用の出力端子１６ａ〜ｄとを備えている。
【０１７１】
ここで、出力端子１６Ａ及び１６ａは、上述した高確率モード中であることを示す「確変中信号」を出力する。また、出力端子１６Ｂ及び１６ｂは、大当りの発生中であることを示す「大当り信号」を出力する。また、出力端子１６Ｃ及び１６ｃは、予め定められた特別図柄（例えば奇数図柄）による大当りの発生中であることを示す「確変大当り信号」を出力する。また、出力端子１６Ｄ及び１６ｃは、球発射装置によって遊技球の発射が行われているか否かを示す「発射スイッチ信号」を出力する。
【０１７２】
（利益付与情報提供装置の構成）
本実施形態において、利益付与情報提供装置３０は、図３に示すようにガラス扉枠３の端部近傍、具体的には方形状に形成されたガラス扉枠３の角部近傍において配置され、遊技者が所持する携帯通信端末としての携帯電話機２００（図５，図６参照：後述）との間で赤外線通信を行うための装置として配置されている。この利益付与情報提供装置３０は、報知手段としての報知ランプ３１と、無線送信手段、媒体出力部としての赤外線発光部３３と、赤外線受光部３４とを備えており、これら赤外線発光部３３及び赤外線受光部３４が、例えば遊技機１の外部に露出した形態にて配置されて情報の送受信を行う情報通信部（言いかえれば情報送受信部）として機能するように構成されている。より詳細には、利益付与情報提供装置３０は、図５のブロック図に示すように、報知ランプ３１と、赤外線発光部３３と、赤外線受光部３４と、インタフェース回路（Ｉ／Ｆ）３５と、ＣＰＵ３６と、ＲＯＭ３７と、ＲＡＭ３８とを備えて構成されている。
【０１７３】
報知ランプ３１は、ここでは利益付与情報提供装置３０において利益付与情報の提供が可能な状態となったことを遊技者に視覚的に報知するためのランプとして構成されている。報知ランプ３１は、利益付与情報の提供時に点灯し、提供時でない場合には消灯されている。また、赤外線発光部３３から利益付与情報の送信が行われている問に報知ランプ３１を点滅させ、送信が終了したら消灯させるようにしてもよい。
【０１７４】
本実施形態における利益付与情報出力手段として機能する赤外線発光部３３は、具体的には媒体出力部、無線送信手段として機能するものであり、透明板８１の外部領域に配置され、携帯電話機２００に対して利益付与情報等を赤外線信号として送信するための発光デバイスとして構成される。この赤外線発光部３３から出力される赤外線信号は指向性を有し、ここでは、赤外線信号が透明板８１の外部領域において遊技盤７の盤面とほぼ直交する方向に出力されるように構成されている。
【０１７５】
情報受信部としての赤外線受光部３４は、情報送信部と同様に透明板８１の外部領域に配置され、携帯電話機２００から送信される赤外線信号を受信するための受光デバイスとして構成される。
【０１７６】
尚、赤外線信号は上述したように指向性を有しているため、携帯電話機２００の赤外線受光部２０８及び赤外線発光部２０９を、利益付与情報提供装置３０の赤外線発光部３３及び赤外線受光部３４に対向させることによって、遊技機１と携帯電話機２００とが互いに通信相手として特定される。また、赤外線発光部３３から前方（遊技者側）に向かって赤外線信号が出力されるため、隣接配置される遊技機同士で赤外線信号が干渉することはない。なお、ここでは指向性を有する情報伝達媒体を例に挙げたが、情報伝達可能であれば無指向性のものを用いることもできる。なお、この赤外線受光部３４を本明細書中に示す遊技者固有情報取得手段として機能させることができる。
【０１７７】
なお、本発明において、通信方式、赤外線発光部３３や受光部３４のハードウェア構成等については、例えばＩｒＤＡ（ＩｎｆｒａＲｅｄ  Ｄａｔａ  Ａｓｓｏｃｉａｔｉｏｎ）により定められた通信規格によるものを利用することができる。本実施形態では、赤外線発光部及び受光部が単一のデバイスとして構成される例を示しているが、別々のデバイスとして構成してもよい。なお、以下において、赤外線発光部３３及び赤外線受光部３４を総称して赤外線受発光部３３，３４とも称するものとする。
【０１７８】
インタフェース部３５は、通信線を介して外部接続端子板１６の利益付与情報提供装置用の出力端子１６ａ〜ｄと接続され、各端子よりそれぞれ出力される「確変中信号」、「大当り信号」、「確変大当り信号」及び「リーチ信号」をＣＰＵ３６に入力する電子回路である。なお、ここでは出力端子数を４としているが、これに限定されるものではなく、この他の信号を利益付与情報提供装置に入力するようにしてもよい。例えば、「発射スイッチ信号」などを独立のポートとして入力するようにしてもよく、「大当り信号」「確変大当り信号」「リーチ信号」のいずれかにおいて、信号の種別を細分化して、種別毎にポートを設けるような構成であってもよい。例えば、リーチがノーマルリーチを特別リーチを２種類ある場合、ノーマルリーチ信号、特別リーチ信号のそれぞれのポートを設けるようにしてもよいのである。なお、「確変中信号」、「大当り信号」、「確変大当り信号」及び「リーチ信号」が本実施形態における遊技情報であり、外部端子接続板１６及びインターフェース部３５を介してこれら遊技情報がＣＰＵ３６に入力される構成をとることにより、このＣＰＵ３６が遊技情報取得手段、遊技状態検出手段（状態検出手段）として機能することとなる。
【０１７９】
ＣＰＵ３６は、利益付与情報提供装置３０各部を制御するための制御装置であり、ＲＯＭ３７から制御プログラムを読み出して実行する。なお、本実施形態においてＣＰＵ３６は、上記手段１ないし５３に示す、コード情報生成手段、利益付与情報更新手段、広告情報更新手段、設定情報更新手段、広告モード切替手段、利益付与情報取得手段、広告情報取得手段、遊技情報取得手段、遊技状態検出手段、選択用情報表示タイミング設定手段として機能させることができるものである。
【０１８０】
ＲＯＭ３７は、利益付与情報提供装置３０各部を制御するための制御プログラム（例えば、図１４、図１５、図２６のような流れをなすプログラムなど）や各種のデータ等を記憶する読み出し専用の記憶媒体である。
【０１８１】
ＲＡＭ３８は、ＣＰＵ３６によって使用されるワーク領域、遊技状態記憶領域３８ａ及び遊技情報及び利益付与情報の送信用の送信バッファ３８ｂを有する書き換え可能な記憶媒体である。
【０１８２】
不揮発性メモリ３９は、情報を不揮発的に記憶するための書換可能（情報更新可能）な不揮発性の記憶媒体であり、ＥＰＲＯＭ、ＥＥＰＲＯＭ、フラッシュメモリなどの半導体メモリ、或いはその他の不揮発性の半導体メモリなどによって構成することができる。本実施形態において不揮発性メモリ３９は、利益付与情報記憶手段、広告情報記憶手段、設定情報記憶手段、広告表示条件記憶手段として機能している。
【０１８３】
そして、電源遮断後も情報内容が記憶保持され、必要に応じて情報の書換が行われるように構成されている。また、不揮発性メモリ３９に記憶される利益付与情報、広告情報、条件設定情報（後述）、或いは送信カウンタ３９ａの値は、遊技機１の電源遮断後も記憶保持される。なお、本実施形態や他の実施形態では、書換可能な記憶手段として不揮発性メモリを用いた構成を示しているが、書換可能な記憶手段であればＨＤＤ（ハードディスクドライブ）やその他の記憶手段を用いてもよい。
【０１８４】
さらに本実施形態では、遊技に関する画像演出（例えば、リーチ演出、大当り演出等）を行う第１表示手段と、その画像表示装置とは異なる第２表示手段とが設けられており、広告情報は第２表示手段にて表示されるように構成されている。より詳細には、表示装置５が遊技に関する画像演出を行う第１表示手段として機能し、利益付与情報提供装置３０内に設けられた装置であって、遊技領域９１外に設けられた外部表示装置１０５が第２表示手段として機能している。さらにこの外部表示装置１０５の表示制御を行うための外部表示制御基板１０５Ａが設けられており、この外部表示制御基板１０５Ａが第２表示制御手段として機能することとなる。外部表示制御基板１０５Ａは、例えば、液晶図柄表示装置の表示制御を行う基板として構成することができ、ＣＰＵ、ＲＯＭやＲＡＭ等の記憶手段を備えた構成とすることもできる。本実施形態では、外部表示装置１０５にて広告情報が表示される構成をなしており、外部表示制御基板１０５Ａが、表示制御手段、広告情報表示制御手段として機能するようになっている。
【０１８５】
さらに、図２に示すように、第１表示手段として機能する表示装置５においても、第１表示制御手段としての画像表示制御基板５Ａ（以下、単に表示制御基板５Ａともいう）が設けられており、これら表示制御基板５Ａ及び外部表示制御基板１０５Ａにより、それぞれの表示装置５、１０５を独立して、或いは連携して表示制御することにより、第１表示手段による画像演出と、広告情報の表示とが並行して表示可能な構成となっている。
【０１８６】
図２、図５に示される通信制御手段４１は、利益付与情報提供装置３０とホールサーバ４０１の間で、或いは利益付与情報提供装置３０と図１に示す各種サーバ４０３、４０５の間で通信可能となるように制御するものである。この通信制御手段４１を上記手段１ないし手段５１に記載の遊技者データ取得手段、入力関連情報送信手段として機能させることができる。
【０１８７】
また、図１、図３及び図５に示す例では、それら赤外線発光部３３、赤外線受光部の３４、及び報知ランプ３１の近傍において、遊技者による情報入力が可能となるよう構成される遊技者入力手段（情報入力装置４３）が設けられており、この情報入力装置４３は、遊技機１と携帯電話機２００との間の情報送信に関する操作を行うための操作部が設けられる。具体的には、この操作部は遊技機１に対して情報送信を要求する送信要求ボタン３２として構成されており、この送信要求ボタン３２が押下されることがトリガとなり、遊技機１から携帯電話機２００に対して情報送信が開始される構成となっている。この送信要求ボタン３２は、利益付与情報提供装置３０に対して利益付与情報の送信開始を要求するための押しボタンとして構成されており、遊技機１からの送信準備が整った状態、即ち上述した報知ランプ３１点灯中にのみ押下が受け付けられ、他の状態で送信要求ボタン３２を押下しても送信は開始されないようになっている。本実施形態では、この送信要求ボタン３２が画面上で様々な選択部分を選択する選択ボタンとして機能している。なお、情報入力装置４３のボタン数や構成などはこれに限られず、さらに増やしてもよいし、テンキーやスティックコントローラー、タッチパネルなどを設けてもよい。
【０１８８】
そして、報知ランプ３１点灯中に送信要求ボタン３２を押下すると、報知ランプ３１が点滅を開始すると共に、赤外線発光部３３より赤外線信号による利益付与情報の送信が開始されるようになっている。なお、ここでは操作部をボタン構成としているが、操作レバー、タッチパネル等、遊技者が外部より操作可能な構成であればよい。また、ここでは、情報送信のトリガ入力を行うために操作部を設けているが、情報送信に関連するための情報入力操作であれば他の用途にも適用できる。
【０１８９】
例えば、表示画面において、複数の項目を選択可能に表示し、その中から、上記操作部を操作させることによりいずれかを選ばせるように構成してもよい。その一例としては、例えば、遊技機からの情報送信を要求するのか、或いは情報通信に関する説明情報（例えば操作説明等）を要求するのかを遊技者に選ばせるようにし、選択操作に対応する処理を実行するようにしてもよい。
【０１９０】
また、複数種類の利益付与情報が提供されるように構成し、遊技者が利益付与情報を選択できるようにしてもよい。例えば、遊技機内又はその近傍に利益選択情報入力手段を設けるようにし、この利益選択情報入力手段により利益付与情報を選択する選択情報が入力可能となるように構成することができる。本実施形態においては遊技者入力手段たる情報入力装置４３（図２、図５参照：図１、図３では図示略）がこの利益選択情報入力手段として機能しており、具体的には公知の様々な入力装置と同様に構成することができ、例えば、ボタン式、或いはタッチパネル式等の入力装置として構成することができる。また音声入力や情報入力などによって選択情報を入力するように構成してもよい。なお、具体的な選択情報の入力（例えば、選択用画面構成や選択の流れなど）については後述する。
【０１９１】
（サーバの構成）
図１に示すホールサーバ４０１、提供主体サーバ４０３、遊技機メーカサーバ４０５等のサーバはコンピュータシステムとして構成することができ、例えば図６に示すような構成とすることができる。なお、ＬＡＮやインターネット通信が可能なサーバ構成は周知であるため、ハード構成の詳細な説明は省略するが、データ記憶が可能であり、かつネットワーク通信が可能な構成であれば様々な構成を採用することができる。
【０１９２】
図６の例では、インターネット通信が可能に構成されたサーバの一例を、ホールサーバ４０１を例に挙げて示しており、提供主体サーバや遊技機メーカサーバも同様の構成を採ることができる。ここでは、ＣＰＵ４１３やＲＯＭ４１５、ＲＡＭ４１１等の記憶手段、ＬＡＮカード４２７等のインターフェース、ルータ４２９等の通信制御装置、ビデオコントローラ４２１等の表示制御装置、モニタ４１７等の出力手段、キーボード４１９等の入力手段、キーコントローラ４２３等の入力制御装置を備えた構成を示している。また、ハードディスクドライブやその他の記憶媒体からなるサーバ側記憶手段４３１にて各種データベース（遊技者に関するデータが記憶される遊技者データベース等）が構成されている。ここでは、ホールサーバ４０１は、利益付与情報提供装置３０との間で双方向通信（例えば、ＬＡＮやインターネット等のネットワークによる双方向通信）が可能となっている（図１の▲１▼の通信経路や図２も参照）。さらに、図１、図２に示すようにホールサーバ４０１はインターネット４００を介して各種サーバと双方向通信可能に構成されている（▲２▼の通信経路参照）。また、▲３▼の通信経路（図１）及び図２に示すように、ここでは利益付与情報提供装置３０自体がインターネット接続可能な構成をなしている。
【０１９３】
（携帯通信端末の構成）
次に、遊技機１の利益付与情報提供装置３０との間で赤外線通信が行われる携帯電話機２００の構成について、図７及び図８を参照しつつ説明する。携帯電話機２００は、本発明における携帯通信端末の一例であり、図７の正面図に示すように、ケース２０２、キー操作部２０４、液晶パネル（表示部）２０６、赤外線受光部２０８、及び赤外線発光部２０９から構成されている。キー操作部２０４は、ケース２０２の正面ケース部２０３に配設されたもので、十字キー、電源キー、ファンクションキー、オンフックキー（開始キー）、クリアキー、及び文字・数字キー（テンキー）等から構成されている。液晶パネル２０６は、ケース２０２に形成された開口部２０２ａの内側に配置されている。赤外線受光部２０８は、赤外線発光部２０９とともに、ケース２０２の上部２０２ｂに配置されている。
【０１９４】
次に、携帯電話機２００の電気回路構成につき図８のブロック図を参照して説明する。携帯電話機２００は、液晶パネル２０６、赤外線受光部２０８、及び赤外線発光部２０９に加えて、無線部２１０、音声回路２１２、レシーバー２１４、マイク２１６、送受信アンテナ２１８、不揮発性メモリ２２０、制御部（マイクロコンピュータ）２２２及び二次電池２２４を有する。無線部２１０は、制御部２２２により制御されて、送受信アンテナ２１８を通して電波を媒体として基地局に対して送受信する。音声回路２１２は、無線部２１０から制御部２２２を通して出力された受信信号をレシーバー２１４に出力するとともに、マイク２１６から出力された音声信号を送信信号として制御部２２２を通して無線部２１０に出力する。
【０１９５】
レシーバー２１４は、音声回路２１２から出力された受信信号を受信音声に変換して出力し、マイク２１６は、操作者から発せられた送信音声を音声信号に変換して音声回路２１２に出力する。不揮発性メモリ２２０は、各種データや、各種のプログラムを不揮発的に記憶する。尚、利益付与情報提供装置３０から利益付与情報の受信を行うための利益付与情報受信用プログラムは、例えば、遊技機メーカ等によって運営されるインターネット・ホームページ等からダウンロードして、不揮発性メモリ２２０に記憶される。二次電池２２４は、各回路に電力を供給する。制御部２２２は、ＣＰＵ，ＲＯＭ及びＲＡＭを含むマイクロコンピュータ等から構成されたもので、電話の発着信処理、電子メールの作成送受信処理、インターネット処理を行う。
【０１９６】
（遊技機の作用）
次に、前記のように構成された遊技機１の作用及び効果について説明する。図９乃至図１０のフローチャートは、制御装置２１によって実行される各種ルーチンを示している。これらのルーチンの各処理は、カウンタ群及びフラグＦに基づいて実行される。
【０１９７】
カウンタ群は、ラウンドカウンタＲ、入賞カウンタＰ及び確変カウンタＣを含む。ラウンドカウンタＲはラウンド回数をカウントするためのものであり、入賞カウンタＰはカウントスイッチ２０の検出結果に基づき大入賞口６への遊技球の入賞個数をカウントするためのものである。確変カウンタＣは高確率モードの終了を判断するためのものであり、「２」，「１」，「０」の値を採る。なお、カウンタＲ，Ｐ，Ｃの初期値はいずれも「０」である。
【０１９８】
そのほかにもカウンタ群は、大当り遊技状態発生を決定するための内部乱数カウンタと、外れリーチ等を決定するための外れリーチ乱数カウンタと、停止図柄等を決定するためのそれぞれの図柄カウンタと、リーチ動作の種類を決定するためのリーチ種別カウンタとを含む。ここで、外れリーチ乱数カウンタによる外れリーチとは、前述したリーチ遊技状態の後に最終的に大当りの組合せとならない状態をいう。フラグＦは、Ｖゾーン１１への遊技球の入賞の有無を判定するためのものであり、Ｖゾーン用スイッチ１９によって入賞が検出されない場合に「０」に設定され、入賞が検出されると「１」に設定される。なお、確率モードには低確率モードと高確率モードの２種類類あることは既に説明したが、初期値には低確率モードが設定されている。
【０１９９】
さて、遊技者による遊技が開始されると、制御装置２１は、まず図９の特別電動役物制御ルーチンのステップＳ１０において、始動口用スイッチ１８の検出結果に基づき、遊技球の第１種始動口４への入賞があったか否かを判定する。この判定条件が満たされていないと特別電動役物制御ルーチンを終了し、満たされているとステップＳ２０において、内部乱数カウンタ、外れリーチ乱数カウンタの各値を取得するとともに、各図柄カウンタの値に基づき図柄列８乃至１０毎に外れ図柄を取得する。ここでの取得とは、各カウンタの値を読取り、その値をメモリに記憶する処理を指す。
【０２００】
次に、ステップＳ３０で図柄変動開始処理を実行する。詳しくは、図１１のステップＳ３１において、図柄列８乃至１０の各図柄をそれぞれ表示装置５で変動表示させる。この表示により、遊技者には左・中・右の３つのリールがあたかも回転しているように見える。ステップＳ３２において、内部乱数カウンタの値が大当り値と同一であるか否かを判定する。大当り値としては、２種類の値（低確率用大当り値、高確率用大当り値）が用意されている。前者は大当り遊技状態を前述した低確率で発生させるための値であり、後者は高確率で発生させるための値である。例えば、内部乱数カウンタが、「０」乃至「２９９」の範囲で所定時間毎に値を更新するものである場合、そのうちの「７」を低確率用大当り値とし、「７」，「１７」，「２７」，「３７」，「４７」を高確率用大当り値とする。すると、大当り遊技状態が発生する確率は、低確率用大当り値を大当り値として用いた場合には１／３００となり、高確率用大当り値を大当り値として用いた場合には１／６０となる。そして、前回の制御周期で低確率モードが設定されている場合には、低確率用大当り値が大当り値として選択される。高確率モードが設定されている場合には、高確率用大当り値が大当り値として選択される。
【０２０１】
ステップＳ３２の判定条件が満たされていると、ステップＳ３３において、大当り値に対応する大当り図柄を停止図柄としてメモリに記憶する。一方、ステップＳ３２の判定条件が満たされていないと、ステップＳ３４において、外れリーチ乱数カウンタの値が予め定められた外れリーチ値と同一である否かを判定する。この判定条件が満たされていると、ステップＳ３５において、外れリーチ値に対応する図柄（以下「外れリーチ図柄」という）を停止図柄としてメモリに記憶する。なお、ステップＳ３４の判定条件が満たされていないと、ステップＳ３６において、前記ステップＳ２０での外れ図柄を停止図柄としてメモリに記憶する。そして、上記ステップＳ３３，Ｓ３５，Ｓ３６で停止図柄を記憶した後、図柄変動開始処理ルーチンを終了する。
【０２０２】
前記のようにステップＳ３０の処理（図１１に示す図柄変動開始処理）を実行した後、図９のステップＳ４０において左右両図柄列８，１０における図柄を、前記ステップＳ３３，Ｓ３５，Ｓ３６のいずれかの処理で記憶した停止図柄に差替える。差替え後の図柄によって左右両図柄列８，１０での図柄変動を停止させる。
【０２０３】
ステップＳ５０では、中図柄列９での図柄変動を停止させる。続いて、ステップＳ６０において、図柄の組合せが大当りの組合せであるか否かを判定する。この判定条件が満たされていないと特別電動役物制御ルーチンを終了し、満たされていると、ステップＳ７０において、大当り信号ＯＮを出力端子１６Ｂ及び１６ｂに出力する。さらに、ステップＳ８０において、大当り図柄が特別図柄（この場合、奇数図柄）であるか否かを判定し、特別図柄である場合は（ステップＳ８０：Ｙｅｓ）、ステップＳ９０において確変大当り信号ＯＮを出力端子１６Ｃ及び１６ｃに出力する。続いて、ステップＳ１００において、ラウンドカウンタＲをリセットする。そして、ステップＳ１１０において入賞カウンタＰをリセットするとともに、フラグＦを「０」に設定する。なお、図１３には確変中信号、大当り信号、確変大当り信号についてのタイミングチャートを概念的に示している。
【０２０４】
続いて、図１０のステップＳ１２０においてソレノイド１５を励磁する。すると、シャッタ１４が倒れ、大入賞口６の通路入口が開放される。この開放により、遊技球のＶゾーン１１及び通路１２，１３への入賞が可能となる。ステップＳ１３０でラウンドカウンタＲを「１」インクリメントする。
【０２０５】
次に、ステップＳ１４０において、入賞カウンタＰの値が所定値Ｐｍａｘ以下であるか否かを判定する。この判定条件が満たされていると、ステップＳ１５０において、大入賞口６の閉鎖予定時期がまだか否かを判定する。この判定条件が満たされていると（ステップＳ１５０：Ｙｅｓ）、ステップＳ１４０へ戻る。その結果、大入賞口６の開放開始後にＰｍａｘ個よりも多くの遊技球が入賞するか、閉鎖予定時期が到来するかしない限りは、大入賞口６が開放され続ける。これに対し、ステップＳ１４０，Ｓ１５０の判定条件のいずれか一方が満たされていないと、ステップＳ１６０においてソレノイド１５を消磁する。すると、シャッタ１４が起こされ、大入賞口６の通路入口が閉鎖される。
【０２０６】
そして、ステップＳ１７０において、ラウンドカウンタＲの値が所定値がＲｍａｘ以下であるか否かを判定する。この判定条件が満たされていると、ステップＳ１８０においてフラグＦが「１」であるか否かを判定する。ステップＳ１８０の判定条件が満たされていると（ステップＳ１８０：Ｙｅｓ）、図９のステップＳ１１０へ戻る。従って、一旦大当り遊技状態が発生すると、遊技球がＶゾーン１１に最大Ｒｍａｘ回入賞するまでは、大入賞口６が開閉のサイクルを繰返す。例えば、所定値Ｐｍａｘが「１０」に設定され、大入賞口６の開放時間が「約２９．５」秒に設定され、所定値Ｒｍａｘが「１６」に設定されている場合には、大入賞口６の開放後、（１）遊技球が大入賞口６へ１０個入賞すること、（２）約２９．５秒が経過すること、のいずれか一方の条件が満たされた時点で大入賞口６が閉鎖される。この大入賞口６の開放・閉鎖のサイクルが、遊技球のＶゾーン１１への入賞を条件に最大で１６回繰返されることとなる。ステップＳ１７０，Ｓ１８０の判定条件のいずれか一方が満たされていないと、ステップＳ１９０で「大当り信号ＯＦＦ」を出力端子１６Ｂ及び１６ｂに出力する。さらに、ステップＳ２００において、大当り図柄が特別図柄（この場合、奇数図柄）であるか否かを判定し、特別図柄である場合は（ステップＳ２００：Ｙｅｓ）、ステップＳ２１０において確変大当り信号ＯＦＦを出力端子１６Ｃ及び１６ｃに出力する。続いて、ステップＳ２２０で確率変動処理を実行し、その後、特別電動役物制御ルーチンを終了する。
【０２０７】
図１２の確率変動処理ルーチンでは、ステップＳ２２１において、大当り図柄が通常図柄（この場合偶数図柄）であるか否かを判定する。この判定条件が満たされていないと（ステップＳ２２１：Ｎｏ）、すなわち、大当り図柄が特別図柄（奇数図柄）であると、ステップＳ２２７において確変カウンタＣが「０」であるか否か（高確率モード中であるか否か）が判定され、確変カウンタＣが「０」である（高確率モード中である）場合は（Ｓ２２７：Ｙｅｓ）、ステップＳ２２８において、確変中信号ＯＮを出力端子１６Ａ及び１６ａに出力する。続いて、ステップＳ２２９において高確率モードを設定し、確変カウンタＣに「２」を設定する。ステップＳ２２９の処理を実行した後、確率変動処理ルーチンを終了する。このように、高確率中に特別図柄（奇数図柄）で大当り遊技状態が連続して発生した場合には、高確率モードが継続することとなる。
【０２０８】
一方、前記ステップＳ２２１の判定条件が満たされていると、すなわち、大当り図柄が通常図柄（偶数図柄）であると、ステップＳ２２２において確変カウンタＣが「０」でないか否かを判定する。この判定条件が満たされていない（Ｃ＝０）と確率変動処理ルーチンを終了し、満たされている（Ｃ＝２，１）とステップＳ２２３において確変カウンタＣを「１」デクリメントする。ステップＳ２２４において確変カウンタＣが「０」であるか否かを判定する。この判定条件が満たされていない（Ｃ＝１）と確率変動処理ルーチンを終了し、満たされている（Ｃ＝０）とステップＳ２２５において、確変中信号ＯＦＦを出力端子１６Ａ及び１６ａに出力し、ステップＳ２２６において、低確率モードを設定する。このように一旦高確率モードが設定されると、確変カウンタＣが「０」となるまで、すなわち、高確率モード設定後、連続して偶数図柄で２回大当り遊技状態が発生するまでは高確率モードが継続する。そして、偶数図柄での大当り遊技状態が２回連続すると、高確率モードが終了し低確率モードに切替えられる。
【０２０９】
なお、本実施形態での処理手順は一例であり、適宜変更可能である。例えば、図柄変動処理（ステップＳ３１）を停止図柄の記憶処理（ステップＳ３３，Ｓ３５，Ｓ３６）の後に行うようにしてもよい。
【０２１０】
上述したように、本実施形態では、遊技球が第１種始動口４へ入賞したことが検出されると、各カウンタの値が取得されるとともに図柄列８乃至１０が変動表示される。各カウンタの値に基づき停止図柄が記憶され、その停止図柄によって図柄変動が停止される。停止されたときに表示されている図柄の組合せが大当りの組合せであると、遊技者に有利な大当り遊技状態が発生し、遊技球がＶゾーン１１に最大Ｒｍａｘ回入賞するまで、大入賞口６の開閉のサイクルが繰返される。
【０２１１】
一方、大当り図柄が特別図柄（奇数図柄）であると高確率モードが設定され、次回と、その次の回の２回にわたり大当り遊技状態の発生確率が高められる。すなわち、一旦高確率モードが設定されると、次回以降２回の大当り遊技状態の発生確率が高められるが、その期間中に再び奇数図柄で大当り遊技状態が発生すれば高確率モードが設定される。これに対し、前記期間経過後に通常図柄（偶数図柄）で大当り遊技状態が発生すれば高確率モードが終了する（低確率モードに切替えられる）。
【０２１２】
（利益付与情報送信処理）
次に、利益付与情報提供装置３０から携帯電話機２００への利益付与情報送信処理について、図１４に示す利益付与情報送信メインルーチンのフローチャート及び図１５の情報送信処理ルーチンのフローチャートを参照しつつ説明する。尚、本実施形態において利益付与情報送信メインルーチン及び情報送信処理ルーチンは、ＲＯＭ３７に記憶されており、ＣＰＵ３６がＲＯＭ３７よりこれらのルーチンを読み出して実行する。この利益付与情報送信メインルーチンは、例えば、数ｍｓ、或いは数十ｍｓ間隔で実行することができる。
【０２１３】
最初に、ステップＳ４００において、利益付与条件が成立したか否かを判定する。ここでは大当りの発生を利益付与条件としており、この大当りの発生の検知は、図１３に示すような大当り信号がＯＦＦからＯＮに変化することを検知することにより行う。ここでは、大当り信号の変化を検出したＣＰＵ３６が外部表示制御基板１０５Ａに対して広告情報を表示するコマンドを送信するようにしている。一方、大当りの発生でない場合はＳ４００においてＮＯに進み、当該ルーチンを終了する。そして、大当りの発生の場合には、Ｓ４１０に進み、現在の設定がノーマルモードか広告モードかを判断する。ここでの判断は、所定の記憶領域（本実施形態ではＲＡＭ３８の記憶領域：後述）に記憶されているモード示す情報に基づいて判断している。本実施形態では、後述するユーザー設定処理によりモードが設定変更可能になっており、この処理において記憶されるモード情報を読み出すことにより判断するようにしている。なお、モード設定処理については後述する。
【０２１４】
そして、モード情報がノーマルモードを示す場合にはＳ４１０においてＹＥＳに進み処理を終了する。一方、ノーマルモードではなく、広告モードを示す場合にはＳ４２０において広告情報を表示する。ここでは、図１７（ａ）のように一旦選択画面を表示してから遊技者による選択に基づいて図１７（ｂ）のような広告情報を外部表示装置１０５にて表示している。なお、選択画面を表示せずに図１７（ｂ）のような広告情報を直接表示するようにしてもよい。即ち、具体的商品や役務についての広告情報を直接表示するようにしてもよい。
【０２１５】
具体的には、広告情報表示処理４２０において、ユーザーの要望を反映した広告情報を直接、又は所定ステップを経て表示することができる。本実施形態では、後述するユーザー入力処理により予めユーザーが選択したジャンルやメーカーについての選択用情報を表示しており、この選択用情報に係る広告情報が表示可能となっている。即ちユーザの要望を反映した選択用情報を表示し、さらにユーザからの選択がなされることによって広告情報表示、及び利益付与情報の提供がなされるようになっており、最終的にユーザの要望をきめ細かく反映することが可能となっている。図１７の例では、ユーザーにより「飲食」のジャンルが選択された場合の選択用情報について示しており、「居酒屋の割引クーポン」、や「ビール無料クーポン」などが選択可能になっている。図１７（ａ）の例では、ユーザにより選択されたグループをさらに細分化した細分化インデックスとして各広告情報の個別インデックス（広告インデックス１０９Ａ〜１０９Ｆ）が、選択用情報として表示されており、遊技者入力手段による入力に基づきいずれかの広告インデックスが指定されると、その指定された広告インデックスに係る広告情報が表示されるようになっている。この広告インデックスは、利益付与情報個別インデックスとしても機能し、広告インデックスが選択されると、最終的にその広告インデックスに係る利益付与情報が出力可能となる。例えば、図１７（ａ）の選択画面において右上の「ビール１本無料クーポン」が選択されると、続いて図１７（ｂ）のような広告画面が表示され、このビール無料クーポンについて電子データが携帯電話機で取得可能となる。なお、ここでは、ＣＰＵ３６が選択用情報の表示タイミングを設定する選択用情報表示タイミング設定手段として機能し、表示制御手段たる外部表示基板１０５Ａが、この選択用情報表示タイミング設定手段に基づくタイミングにて図１７（ａ）のような選択用情報を表示するように制御を行うこととなる。
【０２１６】
さらに、ここではＣＰＵ３６からコマンド（即ち、「ビール一本無料クーポン」が選択されたことを反映したコマンド）を受け取った外部表示制御基板１０５Ａにおいて広告情報記憶手段より広告情報を読み出す処理を行い、外部表示装置１０５にて広告情報を表示するようにする。広告情報記憶手段は、外部表示制御基板１０５Ａ内に配置される記憶手段、又は外部表示制御基板１０５Ａの外部の記憶手段（例えば不揮発性メモリ３９など）として構成されるものを用いることができ、いずれにしても広告情報記憶手段より広告情報を読み出して図１７のように表示することとなる。図１７（ｂ）の例では、利益付与関連情報として、利益付与情報に関する説明情報と広告情報が併せて表示されるようになっている。なお、大当り発生を検出した場合に即座に広告情報を表示するようにしてもよく、大当り発生信号を検出してから所定時間経過した後に広告情報を表示するようにしてもよい。また上記の例ではユーザの要望を反映した選択用情報を表示するようにしていたが、ユーザの要望を反映した広告情報を表示するようにしてもよい。即ち、どの広告情報を表示するのかを予めユーザに選択させておき、利益付与条件の成立に基づいてその広告情報の表示及び利益付与情報の提供を行うようにしてもよい。
【０２１７】
以上のようにして広告情報表示処理（Ｓ４２０）がなされると、図１７（ｂ）のような広告情報の表示を継続した状態でＳ４３０にて報知ランプ３１を点灯する。なおこの報知ランプ３１の点灯処理は省略してもよい。一方、遊技者は、報知ランプ３１の点灯、又は広告情報の表示により利益付与情報提供装置３０から利益付与情報が提供されようとしていることを知ると、携帯電話機２００を取り出し、ボタン２０４を操作することにより利益付与情報受信用プログラムを起動する。すると、携帯電話機２００の液晶パネル２０６には、図１８（ａ）に示すように、「情報の受信準備が整いました。送信要求ボタンを押してください。」とのメッセージが表示される。そして、遊技者（ここでは遊技者４００）は携帯電話機２００の赤外線受光部２０８及び赤外線発光部２０９を、利益付与情報提供装置３０の赤外線発光部３３及び赤外線受光部３４に対向させ且つ接近させる。なお、赤外線送信される情報を携帯通信端末（携帯電話機やＰＤＡ等）によって取得する方法については公知であるので詳細については省略するが、利益付与情報出力手段からの情報が携帯通信端末によって取得できる方法、構成であれば様々なものを採用することができる。また、後述するように識別情報を画像取得するようにしてもよい。
【０２１８】
一方、利益付与情報提供装置３０側では、Ｓ４４０において、所定時間の間に送信要求があるか否かを判断する。ここでは、送信要求ボタン３２が押されたか否かを判断するようにしている。所定時間を経過しても送信要求がない場合にはＳ４４０にてＮＯに進み、Ｓ４９０にて報知ランプ３１を消灯して当該処理を終了する。他方、送信要求がある場合にはＳ４４０にてＹＥＳに進み、Ｓ４５０においてコネクト信号を送信する。さらに、Ｓ４６０にて携帯通信端末から送られるリターン信号を受信する。これにより、利益付与情報提供装置３０と携帯電話機２００との間で、赤外線通信が可能な状態となる。そして、Ｓ４７０にて報知ランプ３１を点滅させ、Ｓ４８０の情報送信処理を開始する。なお、ここでは、Ｓ４４０の送信要求の判断を送信要求ボタン３２の押下に基づいて行っているが、例えば、位置検出可能なセンサ手段を設け、携帯通信端末が所定位置に配置された場合に送信要求があるものとしてＳ４５０以下の処理を行うようにしてもよい。また、携帯通信端末から所定信号が送信された場合に送信要求があったものと判断するようにしてもよい。
【０２１９】
図１５は、Ｓ４８０の情報送信処理の一例を示すフローチャートである。
ステップＳ５１０において、当該遊技機１を他と識別する遊技機識別情報としての遊技機ＩＤ（遊技機ＩＤ）が、ＲＡＭ３８上の送信バッファ３８ｂの１番目の格納領域に格納される。遊技機ＩＤは、遊技機固有のものとしてＲＯＭ（例えばメイン基板２１ＡのＲＯＭや利益付与情報提供装置３０のＲＯＭ３７等）などに記憶しておくことができる。ここで、図１６（ａ）は、遊技情報及び利益付与情報の送信用の送信バッファ３８ｂのフォーマットを、同図（ｂ）は利益付与情報及び遊技情報の格納例をそれぞれ示している。続いて、ステップＳ５２０において、不揮発性メモリ３９より送信カウンタ３９ａの値を読み出して送信バッファの２番目の領域に格納する。更に、ステップＳ５３０において、遊技状態記憶領域３８ａにおける、状態識別情報としての遊技状態データ（ここでは大当りまでに要したリーチ回数データ）を読み出して、送信バッファ３８ｂの３番目の領域に格納する。つまり、ここでの遊技情報は、”遊技機ＩＤ＋送信カウンタ値＋遊技状態データ”というデータ構造を有する。遊技状態データはここに示すリーチ回数データに限らず、図柄変動回数データ、大当り回数データ、確率変動回数データ、時短回数データ、リーチ予告回数データ、又はその他の遊技状態の回数データとすることができ、これらのデータの複数種類からなるものであってもよい。又は、これらのデータに基づくポイント情報（例えば、リーチ発生は２ポイント、図柄変動は１ポイントなどとして蓄積されるようなポイント情報）などであってもよい。このような遊技情報を付すことにより、遊技情報に基づくサービスが可能となったり、或いは付される遊技情報を統計処理することによりマーケティング等に役立てることが可能となる。なお、このような遊技状態データを付さないようにしてＳ５３０の処理を省略してもよい。また、遊技情報自体を付さずに、利益付与情報のみを送信するようにしてもよい。
【０２２０】
さらに、Ｓ５４０にて、送信バッファ３８ｂの４番目の領域に送付すべき利益付与情報（ここではクーポンデータ）を格納する。利益付与情報は例えば、文字、数字、記号の組み合わせにて内容を表すように構成でき、図１６の例では数字とアルファベットの組み合わせによりクーポン券の種類と提供メーカが特定されるようになっている。例えば、上３桁は提供メーカを表し、下２桁はクーポン券の内容を表すように構成すれば、５桁の数字及びアルファベットにより提供メーカとクーポン券の内容が特定できることとなる。そして、ステップＳ５５０において、送信バッファ３８ｂに格納された遊技情報及び利益付与情報を赤外線発光部３３より赤外線信号として送信する。続いて、ステップＳ５６０において、赤外線受光部３４にて携帯電話機２００より端末確認信号を受信する。
【０２２１】
さらに、Ｓ５７０にて外部装置用確認情報を管理装置に送信する。この管理装置への送信としてはいくつかの例が考えられるが、たとえば、インターネットを介して、利益付与情報に係る商品や役務を提供するメーカのサーバである提供主体側サーバ４０３に送信するようにできる。又は、実際に利益付与情報に係るサービスを受ける店舗に確認情報を送信するようにしてもよい。いずれの場合でも送信する内容は、携帯通信端末に送信するものと同じか又はほぼ同じ情報、或いは送信された事実を示す情報とすることができる。このようにすれば、提供主体側で、利益付与情報が発行されたことを確実に確認でき、利益付与情報に係る利益を受ける際（例えば、クーポン券などにより割引を受ける際）に、遊技者が提示する情報と照合が行えることとなり、不正を効果的に抑制できることとなる。
【０２２２】
本実施形態においては、図１に示すように、利益付与情報提供装置が、インターネット等の通信ネットワークを介して利益付与情報を提供する提供メーカ等の提供主体側に設けられた提供主体側サーバ４０３と接続されており、かつその提供主体側のサーバ４０３と接続されるように、その利益付与情報に係る商品又は役務を提供する各店舗毎に店舗端末４１１が設けられる構成をなしている。そして、利益付与情報提供装置３０は、携帯通信端末に対する利益付与情報の提供の際に、不正識別情報としての確認情報を提供主体側サーバ４０３、又は店舗側端末４１１に送信するようになっている（図１に示す送信経路▲３▼、▲４▼、又は送信経路▲３▼、▲４▼、▲５▼参照）。そして、利益付与情報を携帯通信端末によって取得した遊技者が利益付与情報に係る利益を受けようとしてその携帯通信端末を利益付与情報に係る店舗にて提出した場合に、その店舗に設けられた店舗端末４１１においてその提出された携帯通信端末における利益付与情報が正規のものであるか否かを、確認情報（不正識別情報）に基づいて判断できるようになっている。なお、このような処理を行わない場合にはＳ５７０の処理を省略してもよい。
【０２２３】
図１５に戻り、Ｓ５７０に次いで、ステップＳ５８０において、不揮発性メモリ３９の送信カウンタの値をカウントアップし、次いでステップＳ５９０において送信終了信号を送信する。そして、Ｓ６００にて遊技状態データの記憶内容（即ちそれまでの間のリーチ回数データ）をクリアし、本ルーチンの処理を終了してメインルーチンヘリターンする。
【０２２４】
一方、利益付与情報提供装置３０から利益付与情報が送信されている間、携帯電話機２００の液晶パネル２０６には、図１８（ｂ）に示すように、「情報を受信しています」とのメッセージが表示される。また、利益付与情報提供装置３０からの利益付与情報の送信が終了して送信終了信号を受信すると（ステップＳ４８０）、携帯電話機２００の液晶パネル２０６には、図１８（ｃ）に示すように、「情報の受信が完了しました」とのメッセージが表示され、利益付与情報受信プログラムの実行を終了する。
【０２２５】
利益付与情報送信メインルーチン（図１４）にリターンすると、ステップＳ４９０において、報知ランプ３１を消灯し本ルーチンの処理を終する。なお、このランプ消灯とともに広告情報の表示を終了させてもよく、さらに広告情報の表示を継続させてもよい。広告情報の表示を継続させる場合には、所定の表示終了条件が成立するまで（例えば、表示開始から所定時間経過するまで、或いは次回の図柄変動が開始されるまで、大当りラウンドが終了されるまで等）継続させるようにするとよい。
【０２２６】
上述した利益付与情報送信メインルーチンにおいて送信された利益付与情報は、携帯電話機２００によって受信されると、遊技機ＩＤ、送信カウンタ値、遊技状態データ、及び利益付与情報（ここではクーポンデータ）を有してなる情報が、携帯電話機２００に内蔵されたメモリ２２０に順次、記憶蓄積される。尚、図１９は、携帯電話機２００のメモリ２２０における利益付与情報の記憶例を示すものである。
【０２２７】
ここで、携帯電話機２００に記憶された利益付与情報は、固有の識別情報を有している。すなわち、遊技機ＩＤによって、全国の遊技店に設置された多数の遊技機の中で、どの遊技機から出力された利益付与情報であるかが識別される。さらに、送信カウンタ値によって、当該遊技機１において何回目に出力された利益付与情報であるかが識別される。上述したように、カウンタ値は利益付与情報の送信毎にカウントアップされるので、同一の値が存在することはない。従って、”遊技機ＩＤ＋送信カウンタ値”のデータの並びはそれぞれ固有のものであって、同じデータが２つ存在することがないため、各遊技機における個々の情報出力を確実に識別することができる。さらに、出力される情報は、発生した遊技状態を識別するための遊技状態データを含んでいるので、それまでのどのような遊技を行っていたのかがわかるようになっており、このような情報を利用したサービスをも行えるようになっている。なお、上述したようにこのような遊技状態データを省略するようにしてもよい。
【０２２８】
以上詳述したことから明らかなように、本実施の形態によれば、遊技者は、自己が所持する携帯電話機２００を用いて、利益付与情報提供装置３０からクーポン券、商品券等の電子データなどからなる利益付与情報を受信することにより、遊技機１又は遊技機１近傍から提供される利益付与情報を簡単に取得することができる。また、遊技機１から送信される情報は、遊技機を識別するための遊技機識別情報としての遊技機ＩＤ（遊技機ＩＤ）を含んでいるので、各地の遊技ホールに設置されたどの遊技機における情報であるかを確実に識別することができる。さらに、固有情報としての送信カウン夕値を含んでいるので、別の日或いは時間帯に同一或いは異なる遊技者が受信した情報と確実に識別することができる。なお、このような遊技機ＩＤや固有情報を含まないようにして利益付与情報を簡素化してもよい。
【０２２９】
（利益付与情報提供装置の取りつけ構成）
次に利益付与情報提供装置３０の取り付け構成について説明する。
利益付与情報提供装置３０は、図３、図２３に示すように、ガラス扉枠３の端部近傍、具体的には方形状に形成されたガラス扉枠３の角部近傍において配置され、本実施形態では遊技者が所持する携帯通信端末としての携帯電話機２００との間で赤外線通信が可能な装置として配置されている。ここでの利益付与情報提供装置３０は、報知手段としての報知ランプ３１と、無線送信手段としての赤外線発光部３３と、赤外線受光部３４とを備えており、これら赤外線発光部３３及び赤外線受光部３４が、例えばパチンコ機１の外部に露出した形態にて配置されて情報通信部として機能するように構成されている。さらに、この情報通信部と一体的に外部表示装置１０５が取付けられ、これらが一体的に構成されたユニット構造をなしている。
【０２３０】
図２３では、ガラス扉枠３に露出部（具体的には開口部３ｅ）が形成されており、このガラス扉枠３の後方の部材に取付けられた赤外線受発光部３３，３４と外部表示装置１０５とをその開口部３ｅを介して前方に露出させる構成をなしている。即ち、ガラス扉枠３が閉塞した状態では、利益付与情報提供装置３０の前部が開口部３ｅ内に嵌り込み、これにより赤外線受発光部３３，３４及び外部表示装置１０５が前方に露出することとなる。図３及び２３に示す本実施形態では、前枠２の周縁部に利益付与情報提供装置３０が取付けられており、取付手段としては、ネジ等の締結部材などによる結合手段を用いている。
【０２３１】
なお、図２３では、透明板保持扉（即ちガラス扉枠３）の後方に配置された前枠２の周縁部に利益付与情報提供装置３０が取付けられる例を示したがこれに限定されない。図２４では、利益付与情報出力手段（赤外線発光部３３）と外部表示装置１０５を備えて一体的なユニット構造をなす利益付与情報提供装置３０がガラス扉枠３の裏面において取付けられた構成を示している。図２４の例では、図２３の構成と同様にガラス扉枠３において開口部（図示略）が形成され、その開口部を介して外部表示装置１０５および利益付与情報出力手段（赤外線発光部３３）が前方から視認できるように、図２３とほぼ同様の構成をなす利益付与情報提供装置３０が、ネジ等の締結部材３０ｄによりガラス扉枠３の裏面に取付けられている。
【０２３２】
なお、図３、図２３及び図２４に示す構成はあくまで好適例であり、これら配置位置に限定されないことは勿論である。たとえば、ガラス扉枠３内における透明板８１の上下左右、斜め上方又は下方いずれでもよく、遊技盤７における遊技領域面（以下、遊技面ともいう）の上下左右、斜め上方または下方いずれでもよい。これらいずれの場合においても、着脱可能としてもよく、着脱不能（例えば一体的に固定等）としてもよい。例えば、図２４の破線部Ａ，Ｂに示すように、遊技面の斜め下方位置において、遊技盤７における遊技領域（遊技が行われる領域であって、ここでは、レールに囲まれた領域）の外部などに配置するようにしてもよい。或いは破線部Ｃに示すように、ガラス扉枠３の外部領域において、そのガラス扉枠３が取付けられた前枠２、又はその前枠２の後方に配置された部材などに取付けるようにしてもよい。破線部Ｃでは、発射ハンドル１７の近傍に利益付与情報提供装置３０を配置するように構成したが、下皿部２ａの内部又は近傍、或いは上皿部２ｂの内部又は近傍などに配置するように構成してもよい。
【０２３３】
図２５に示すように、遊技球を収容する収容皿（下皿部２ａ、上皿部２ｂ等）に利益付与情報提供装置３０を取付けるようにしてもよい。図２５において外部表示装置１０５は、上皿部２ｂに埋め込まれるようにしてこの上皿部２ｂと一体的に組み込まれており、上皿部２ｂの前方側に配置されている。なお、ここでは上皿部２ｂに取り付ける例を示したが、同様にして下皿部２ａに取付けるようにしてもよい。
【０２３４】
（ユーザー入力処理）
次にユーザー（即ち遊技者）によって所定の設定を行うユーザー入力処理について説明する。この処理のプログラムは、例えば、ＲＯＭ３７や不揮発性メモリ３９などに記憶しておくことができる。図２６は、この処理プログラムの流れの一例を示している。
【０２３５】
まず、Ｓ７００にて所定ボタン（例えば情報入力装置４３における所定ボタン）が操作されることにより、図２７のような初期画面を表示する。この初期画面では、遊技者が現在蓄積しているポイント状況を見るための「ポイント状況を見る」という選択部分１１０Ａ、広告モードとノーマルモードを変更するための「モードを変更する」という選択部分１１０Ｂ、ジャンルを選択するための「ジャンルを選択する」という選択部分１１０Ｃ、メーカを選択するための「メーカを選択する」という選択部分１１０Ｄ、登録会員用の情報入出力を行うための「登録会員用」という選択部分１１０Ｅ、そして、当該処理を終了するための選択部分１１０Ｆがそれぞれ設けられている。この画面においては、ユーザの入力（情報入力装置４３での入力操作）に応じて矢印１２０が各項目に対応する位置に動くようになっており、ユーザは所望の項目（インデックス）位置に矢印を動かすようにして選択を行う（本明細書における他の選択用画面においても同様の選択方法を用いることができる）。なお、ここに示す初期画面構成はあくまで一例であり、様々な画面構成とすることができる。複数の選択項目が用意され、いずれかの選択項目を遊技者の指定に基づいて選択するような画面構成であれば上記の例に限られない。また、これら選択項目（インデックス）に代えて、又はこれらに加えて、これら以外の項目を設けてもよい。
【０２３６】
そして、選択部分１１０Ａ〜１１０Ｅのいずれかが選択される場合にはＳ７２０にてＹ（ＹＥＳ）に進み、そうでない場合、即ち終了が選択される場合には７２０にてＮに進む。さらに、ポイント状況の選択の場合にはＳ７３０にてＹに進み、Ｓ７４０にてポイント照会処理を行う。モード変更の選択の場合にはＳ７５０にてＹに進み、Ｓ７６０にてモード変更処理を行う。また、ジャンルの選択の場合にはＳ７７０にてＹに進み、Ｓ７８０にてジャンル選択処理を行う。さらに、メーカーの選択の場合にはＳ７９０にてＹに進みＳ８００にてメーカー選択処理を行う。さらには登録会員用の場合にはＳ８１０にて情報取得処理を行うこととなる。
【０２３７】
ポイント照会処理は、ユーザが現在蓄積しているポイントの照会を行う処理である。このポイント情報は、利益付与情報提供装置３０と通信ネットワークを開して接続される外部サーバ（例えばホールサーバなど）に記憶しておくことができ、ユーザから所定の固有情報（携帯電話番号やメールアドレス、或いはこれ以外のＩＤ）が得られた場合にこの外部サーバに照会してポイントデータを取得するようにすることができる。そして、取得したポイントデータを図２８のように表示する。なお、ここでは、単なる照会のみならず、現在蓄積しているポイントに応じたサービスの提供をも受けることができるようになっている。即ち、図２８において、選択部分１１１Ａを選択すると、図２９のような画面が表示されるようになっている。ここでは、現在蓄積しているポイントにて受けることができるサービスを表示するようにしており、さらに１１２Ａないし１１２Ｆのいずれかを選択すると、図１７（ｂ）のような広告情報が表示され、かつ利益付与情報が提供されるようになっている。なお、図２８にて「戻る」の選択項目１１１Ｂを選択すると図２７のユーザ設定画面に戻るようになっている。
【０２３８】
モード変更処理は、ノーマルモードと広告モードの切り替えを行うための処理である。ここでは図３０のような画面を表示するようにしており、遊技者にいずれかの選択部分を選ばせるようにしている。そして、広告モード（本実施形態では利益付与情報の提供を行う提供モード（図３０では「プレゼントモード」と表示）が広告モードとされる）の選択項目１１３Ａが選択された場合には、その旨を所定部分に記憶する。ここでは、一例として、図３３（ａ）ないし（ｃ）のような記憶構成としており、広告モード（即ち提供モード）が選択された場合には、モードを示す記憶領域（ここではＲＡＭ３８内の所定領域）に「１」が記憶される。なお、通常モードの場合（「ノーマルモード」の選択項目１１３Ｂが選択された場合）には「０」となる。ここではデフォルト値を「１」としている。この記憶領域は、図１４のＳ４１０の処理にて参照されることとなる。
【０２３９】
ジャンル選択処理は、図３１のような画面にて行うようにしており、遊技者に好みのジャンルを選ばせている。この構成では、複数の利益付与情報がグループ分けされて構成され、それら分けられた利益グループに関する利益グループインデックス（各ジャンルのインデックス）を選択用情報として選択可能に表示している。そして、この利益グループは、具体的には広告情報のグループとして構成されており、遊技者入力手段により、広告グループインデックス１１４Ａ〜１１４Ｈのうちいずれかの広告情報のグループが選択されることに基づいて（即ち、いずれかの利益グループインデックスが指定されることに基づいて）、その指定された広告情報グループに対応した広告情報、又はその指定された広告情報グループに関連した選択用情報を表示することとなり、最終的に指定された広告グループインデックス（利益グループインデックス）に係る利益付与情報が提供されることとなる。本実施形態では、飲食の項目を選択することにより、この情報が図３３（ａ）のようにジャンル情報として記憶され、これが図１４の広告情報表示処理（Ｓ４２０）にて参照されることにより、図１７（ａ）のように飲食項目に関連した選択用情報が表示されることとなる。そして、上述したように、更なる選択に応じて図１７（ｂ）のように最終的に飲食項目に関連した利益付与情報が提供されることとなる。なお、広告情報及び利益付与情報の記憶構成は、例えば図２１のように構成でき、この構成では、各利益付与情報に対応して広告情報、メーカ、ジャンルなどが対応付けられている。従って、特定ジャンルや特定メーカの広告情報や利益付与情報が抽出可能となっており、図３３（ａ）のように特定のジャンルが指定された場合に、そのジャンルの広告情報を抽出するようにすることができる。なお、各広告情報や利益付与情報に対応させてインデックス画像情報を含ませるようにすれば、特定ジャンルに係る広告情報や利益付与情報のインデックス画像情報を抽出でき、これらインデックス画像情報を選択用画面において表示（例えば図１７（ａ）のように表示）するようにしてもよい。
【０２４０】
具体的にいずれかのジャンルが選択された場合には、図３３（ａ）のように、ジャンルを示す記憶領域に選択されたジャンルを特定するデータを記憶する。ここでは、飲食を特定するデータ「Ａ」を記憶している。広告情報を表示する際には、この記憶領域を参照し、記憶されているデータに対応した飲食に関する広告情報、若しくは飲食に関する選択用情報を読み出すようにし、最終的に上述したように広告情報及び利益付与情報の提供を行うこととなる（図１７等参照）。この場合においても、所定のデフォルトデータ（デフォルトのジャンル設定データ）を設けるようにしてもよい。ここでは、ＣＰＵ３６が選択用情報設定変更手段として機能することとなる。
【０２４１】
なお、図１４における広告情報表示処理では、選択されたジャンルに対応した選択用情報を表示するようにしているが、このようにせずに、選択されたジャンルに対応した広告情報を切り替えて表示するようにしてもよく、選択されたジャンルの広告情報のうち少なくとも１つの広告情報を選択的（例えば、所定の抽選による選択）に表示するようにしてもよい。
【０２４２】
また、メーカー選択処理は図３２のような画面にて行うようにしており、遊技者に好みのメーカーを選ばせている。即ち、ここでは、利益グループインデックスとして各メーカの広告グループインデックス１１５Ａ〜１１５Ｆを選択用情報として表示しており、そして、いずれかのメーカーが選択された場合にはそのメーカーを特定するデータを、所定の記憶領域に記憶する。これによってその指定されたメーカに係る広告情報及び利益付与情報が提供可能となる。
【０２４３】
図３３（ｃ）は、メーカー記憶領域に所定のデータが記憶された構成を示している。広告情報を表示する際に、この領域を参照することにより記憶された情報にて特定されるメーカーの広告情報及び利益付与情報が提供されることとなる。即ち、なお、図１４における広告情報表示処理において、選択されたメーカに対応した選択用情報を表示することができる。また、このようにせずに、選択されたメーカに対応した広告情報を切り替えて表示するようにしてもよく、選択されたメーカの広告情報のうち少なくとも１つの広告情報を選択的（例えば、所定の抽選による選択）に表示するようにしてもよい。また、各メーカ毎１つずつ広告情報を用意するように構成した場合には、図３２のインデックスは、広告インデックス（利益付与情報個別インデックス）として機能させることができる。また、ここでは、ジャンルやメーカーを特定するようにしているが、特定の商品種別や役務種別を選択させるようにしてもよく、具体的商品又は役務を選択させるようにしてもよい。例えば、「車」といった項目を設け、車に関する広告を表示するようにしてもよいし、具体的な商品名の項目を設けてもよい。図３３（ｂ）はこのように具体的な商品名を指定された場合の記憶構成を例示しており、この場合には、図１４の広告情報表示処理において、具体的な商品名又は役務名に対応した広告情報を図１７（ｂ）のように表示できる。
【０２４４】
いずれにしても、このようなユーザー入力処理によってユーザに選択されたデータが所定の記憶手段（ＲＡＭや不揮発性メモリなど）に記憶され、図１４のような利益付与情報の提供の際に利用されることとなる。即ち、図１４における広告情報表示処理において、このように設定されるデータを参照し、設定に基づく広告情報や選択用情報を表示することとなる。
【０２４５】
また、遊技者が入力したデータに関する情報を外部サーバに送信するように構成してもよい。この場合、図１５に示すような外部装置用確認情報の送信に加えて、又はこのような外部装置用確認情報の送信にかえて、若しくは、このような外部装置用確認情報とは別個に、遊技者入力手段（情報入力装置４３）にて入力された情報に関するデータからなる入力関連情報を、外部サーバ（ホールサーバ４０１、遊技機メーカサーバ４０３、提供主体サーバ４０５等）に送信するように構成できる。
【０２４６】
例えば、入力関連情報をホールサーバ４０１に送信するようにし、図３４のように記憶するようにしてもよい。図３４は、遊技者に関する遊技者データをホールサーバ４０１（図１等参照）に記憶する例を示しており、あるユーザーに関するデータ（遊技者データ）を示し、利用コード、機種コード、利用日時、ポイントなどが記憶されている。利用コードはどのような利益付与情報を利用したのかを示すものであり、ここでは、ジャンル（アルファベット部分）と具体的な内容（数字部分）をそれぞれ特定可能になっている。なお、ジャンルにかえて、若しくはジャンルに加え、提供メーカを特定する情報を含ませるようにしてもよい。機種コードはどの機種で利用されたのかを示すものであり、機種メーカー名（アルファベット部分）と具体的機種（数字部分）が特定可能になっている。また、ポイントデータは、ユーザーのポイントの変化を記憶しており、ポイントを使用すると減少し、予め定められた条件を満たすと増加するようになっている。なお、上述したポイント照会処理はこのポイントデータに基づいて行われるものである。このようにデータを記憶すれば、ユーザの好みのジャンルや商品、或いはお好みの機種が特定可能となり、マーケティングに役立てることができる。
【０２４７】
また、外部サーバを図３５のように構成してもよい。図３５は複数のチェーン店を持つホールメーカー、遊技機メーカなどのサーバ、若しくは利益付与情報を提供する提供メーカのサーバなどに遊技者データを記憶する構成を例示しており、ここでもホールサーバの場合と同様に、ユーザーが利益付与情報を利用した際に、図３４のような利用コード、機種コード、利用日時、ポイントなどの情報に加え、店舗コードをも送信するようにしており、これによれば各店舗での状況がわかりやすくなる。
【０２４８】
また、ホールサーバ以外の外部サーバに送信する場合、例えば、遊技者入力手段によりいずれかの商品又は役務（以下、商品等ともいう）、若しくは提供主体に関する情報が入力された場合に、その入力に対応した、商品等を提供する提供主体、又は選択された提供主体のサーバに対して入力関連情報を送信するように構成できる。具体的には、図１７のようにビールのクーポンが入力により選択された場合には、そのビールを提供する提供メーカのサーバに対して、選択されたビールの銘柄や種類を特定する情報、或いは遊技者の個人情報（メールアドレスや電話番号、氏名、住所等）を入力関連情報として送信するようにすることができる。この場合、上述したように、通信制御手段４１が入力関連情報送信手段として機能することとなる。
【０２４９】
（利益付与条件設定情報）
次に、利益付与条件を設定する付与条件設定情報について説明する。
利益付与条件としては、１種、又は２種以上の条件を設定変更不能に定めるようにしてもよく、１種、又は２種以上の条件を設定変更可能に定めるようにしてもよい。例えば、「大当りの発生」のみを利益付与条件として定めた場合には、上述したように、大当りの発生に基づいて図１４のような処理がなされることとなる。また、設定変更可能な構成の場合にこの利益付与条件を「リーチの発生」とするように記憶内容を変更した場合には、リーチの発生毎に図１４のような処理がなされることとなる。
【０２５０】
また、以下のように条件設定してもよい。図２２（ａ）では複数の利益付与条件が定められており、各利益付与条件の成立に応じて対応する広告情報が表示されて利益付与がなされるようになっている。図２２（ａ）では、数字、絵柄等の識別図柄が所定の組み合わせとなった場合に大当たりとなるように構成されるものにおいて、大当たりの組み合わせに応じて広告情報を対応して定めるように付与条件設定情報が構成されている。ここでは、大当り図柄と対応して利益付与情報のグループが定められており、図柄に応じた利益付与がなされるようになっている。具体的には、奇数図柄で大当りした場合には図１７（ａ）のようにグループＡの選択情報を表示するようにしており、偶数図柄や絵柄で大当りした場合にはこれとは異なるグループＢ、Ｃの選択情報を表示するようにしている。即ち、遊技状態に基づいて選択用情報が設定されるようになっているのである。
【０２５１】
ここでは、特定のジャンルにおいてさらにグループ分けした構成をなしている。即ち、「飲食」のジャンルに該当する利益付与情報を複数種類にグループ分けしており、各グループ毎に利益付与条件を定めている。このようにすれば、ユーザ（遊技者）が「飲食」のジャンルを指定した場合の、図１４の広告情報表示処理において、利益付与条件（即ち、どのような図柄で大当りしたか）に応じたグループの選択用情報を表示するようにできる。このようにすれば多種の広告情報表示や多種の利益付与情報の提供が可能となり、面白みを増したり、ユーザーのニーズを反映しやすい構成となる。
【０２５２】
なお、本実施形態では図２に示すように、利益付与情報提供装置３０内に設けられた記憶手段をこの設定情報記憶手段として機能させており、ここでは、不揮発性メモリ３９（図２、図５参照）に図２２のような構成をなす付与条件設定情報を記憶するようにして利益付与情報記憶手段を構成している。なお、本実施形態では、付与条件設定情報は広告表示条件を設定する広告表示条件設定情報として機能しており、設定情報記憶手段は、広告表示条件記憶手段として機能している。
【０２５３】
また、図２２（ｂ）では、発生する遊技状態の種類に応じた広告情報及び利益付与情報が提供されるようになっている。即ち、遊技状態の種類毎にグループが定められており、特定の遊技状態の発生に応じて対応するグループの利益付与情報が提供されるように構成されている。ここではリーチが発生した場合には、グループＥの選択情報を図１７（ａ）と同様に表示するようにしており、特別リーチや通常大当り、確率変動大当りではそのグループＥとは異なるグループの選択情報を表示するようにしている。
【０２５４】
また、図２２（ｃ）では、同一の企業にて利益付与がなされる構成のものを示しており、各遊技状態毎に利益付与のグループを異ならせている。例えば、リーチが発生した場合には、企業Ｘの広告情報であってリーチ用のものとして予め定められたグループＩの広告情報及び利益付与情報を提供し、特別リーチの時には同企業Ｘにおいて特別リーチ用のものとして定められたグループＪの広告情報及び利益付与情報を提供するようにしている。このようにすれば、同一企業において遊技状態毎に利益付与の内容を異ならせることができ、より斬新なサービスとなる。なお、グループとせずに、特定の利益付与情報であってもよい。このような企業については１つのみであってもよく、複数種類の企業を用意しておいてもよい。この場合、企業毎に図２２（ｃ）のような情報を用意しておき、上述したユーザ入力処理によって予め指定された企業に対応した設定情報を用いるようにすることができる。
【０２５５】
また、上述例では付与条件設定情報として複数の利益付与条件が設定される例を示したが、利益付与条件として単一の条件を設定し、その条件成立がなされた場合に単一種類、或いは複数種類の利益付与情報が出力されるように構成してもよよい。例えば、利益付与条件を「大当りの発生」とし、この条件を満たした場合に、予め定められた単一の利益付与情報、或いはユーザによって指定された特定の利益付与情報を提供するように構成してもよく、特定の利益付与情報とせずに、特定の選択情報（例えば、予め定められた単一の選択情報、或いはユーザによって指定されたジャンルやメーカーの選択情報など）を表示し、その中からいずれかを選ばせるようにしてもよい。
【０２５６】
なお、提供される利益付与情報のグループを予め定めず、抽選によって選ぶようにして提供するようにしてもよい。例えば、大当り発生を条件として提供すべき利益付与情報の種類を選ぶ抽選を行い、その抽選によって選ばれる種類の利益付与情報を出力するようにしてもよい。例えば、ユーザが指定したジャンルのうちから抽選によって所定数の広告情報を選択可能に表示し、その中から選ばせるようにしてもよい。また、抽選手段より抽選を行い、特定の抽選結果が得られた場合に利益付与情報が提供されるようにしてもよい。
【０２５７】
また、通信ネットワークを介した情報入力、又は所定の入力手段を用いた情報入力により付与条件設定情報の更新情報が入力されることに基づいて、設定情報記憶手段に記憶される付与条件設定情報を更新する設定情報更新手段を設けるようにしてもよい。ここでは、図２に示すように本実施形態ではＣＰＵ３６が設定情報更新手段として機能している。例えば所定の入力手段より付与条件設定情報を更新する更新情報（例えば、それまで記憶されていた付与条件設定情報に替えて別の付与条件設定情報を記憶するような更新情報）が入力されることに基づいて設定情報記憶手段の内容を更新するようにしてもよい。また、利益付与情報提供装置３０の外部において通信ネットワークを介した更新情報の入力（例えば、図２に示すホールサーバ４０１において情報入力を行い、更新情報を利益付与情報提供装置３０に送信するような構成）が行われることにより、設定情報記憶手段（ここでは不揮発性メモリ３９）の記憶内容が更新されるようにしてもよい。
【０２５８】
上記説明では不揮発性メモリ３９を設定情報記憶手段として構成する例を示したが、これ以外の記憶手段を設定情報記憶手段として機能させるようにしてもよい。例えば、ハードディスクドライブなどであってもよく、移動可能な記憶媒体に記憶させるようなもの（例えば、カード状、スティック状の半導体メモリからなる移動記憶媒体に記憶させるようなものや、フレキシブルディスク、光読取り可能なディスクなどの移動記憶媒体に記憶させるようなもの等）を用いてもよい。
【０２５９】
＜第２実施形態＞
第２実施形態では、第１実施形態のように前もっての入力処理を行わない構成を示している。図３６ではその処理の流れを例示しており、大当りが発生すると、特定の選択画面を図３７（ａ）のように表示するようにしている（Ｓ９１０）。ここでは、ユーザーのポイントに応じた項目を表示しており、各種のジャンルを混在させている。図３６のＳ９２０にてユーザーがいずれかを選択すると、図３７（ｂ）のように広告情報及び利益付与情報が提供されることとなる。Ｓ９３０以下の処理は第１実施形態と同様である。このようにすると、ユーザの選択回数をあまり多くしたくない場合や、ある程度店側、あるいはメーカー側で選びたい場合などに都合がよい構成となる。
【０２６０】
＜第３実施形態＞
第３実施形態では、広告情報記憶手段及び利益付与情報記憶手段を遊技機１の外部に設けた構成について説明する。なお、利益付与情報提供装置のハード構成などについては第１実施形態に用いたものとほぼ同じ構成を用いることができる。この第３実施形態では、利益付与情報提供装置３０又は遊技機１と通信可能に外部サーバが接続され、この外部サーバにおいて広告情報記憶手段及び利益付与情報記憶手段が更新可能な記憶手段として設けられている。
【０２６１】
図３８の例では、ホールサーバ４０１において広告情報記憶手段及び利益付与情報記憶手段を設けた構成を示しており、ここでは、ホールサーバ４０１に設けられたハードディスクドライブが広告情報記憶手段及び利益付与情報記憶手段として機能している。そして、所定の広告表示条件が成立すると、遊技機１固有の利益付与情報提供装置３０からホールサーバ４０１に対して利益付与情報を要求する要求情報を出力し、ホールサーバ４０１はそれを取得して要求元の利益付与情報提供装置３０に対して利益付与情報を出力するように構成されている。利益付与情報提供装置３０はＣＰＵ３６（広告情報取得手段、利益付与情報取得手段）の制御により利益付与情報を取得し、広告情報を表示装置にて表示し、さらに利益付与情報を利益付与情報出力手段（赤外線発光部３３）から出力することとなる。なお、図３８の構成では、図２２に例示されるような広告表示条件設定情報を記憶する設定情報記憶手段もホールサーバ４０１に設けられており、広告情報を要求する際に広告表示条件を送信するようにしている。そして、利益付与情報提供装置３０から送られてきた広告表示条件に応じた広告情報及び利益付与情報を、設定情報記憶手段に記憶されている情報に基づいて読出し、対応する広告情報及び利益付与情報を利益付与情報提供装置３０に対して送信するようにする。
【０２６２】
この構成では、ホールサーバから配信される広告情報を広告情報取得手段にて取得し、第２表示手段たる外部表示装置１０５にて表示することとなる。図３８の構成では、ＣＰＵ３６が利益付与情報取得手段、広告情報取得手段、遊技情報取得手段として機能しており、より具体的には、ＣＰＵ３６と通信制御手段４１（ＬＡＮインターフェースやルータ等）が連携して利益付与情報取得手段、広告情報取得手段として機能し、ＣＰＵ３６、端子１６、インターフェース３５が連携して遊技情報取得手段として機能することとなる。
【０２６３】
このような構成をなすものにおける具体的処理例を挙げると、図２２（ｂ）に示すような広告表示条件設定情報をホールサーバ４０１のハードディスクドライブに記憶しておく。そして、利益付与情報提供装置３０から例えば通常大当りを示すコマンドがホールサーバ４０１に送られた場合、ホールサーバ４０１では図２２（ｂ）に示す広告表示条件設定情報から通常大当りに対応した広告情報及び利益付与情報を特定し、これらの広告情報及び利益付与情報を要求元の利益付与情報提供装置３０に対して送信するようにする。このようにすれば、広告情報及び利益付与情報を取得した利益付与情報提供装置３０において広告情報の表示を行うと共に利益付与情報の提供が可能となる。
【０２６４】
また、図３９の例では、図３８のホールサーバ４０１に代えて、利益付与情報を提供する提供主体サーバ（ここでは利益付与情報を提供する提供メーカサーバ）４０３に、広告情報記憶手段、利益付与情報記憶手段、設定情報記憶手段を設けた構成を示している。この場合も、図２５と同様に、利益付与情報提供装置３０からの要求に基づいて提供手段サーバ４０３から利益付与情報や広告情報が配信されることとなる。また、図３９に示す提供主体サーバ４０３と同様の構成を図１に示す遊技機メーカサーバ４０５に適用し、この遊技機メーカサーバ４０５から広告情報や利益付与情報を利益付与情報提供装置３０に送信するようにしてもよい（図１の▲３▼、▲６▼の経路参照）。なお、上記実施形態では、広告情報記憶手段と利益付与情報記憶手段の双方を外部サーバに配置する構成を例示したが、いずれか一方のみを外部サーバに配置し、他方を利益付与情報提供装置３０内に配置してもよい。
【０２６５】
＜第４実施形態＞
上記実施形態においては、主に赤外光を情報伝達媒体とする例について示したが、電磁波を媒体として以下のように構成してもよい。なお、このように電磁波を媒体とする方法は、赤外線通信を用いた構成として説明される他の実施形態において適用できるものである。
【０２６６】
例えば、電波を媒体とする近距離通信技術として知られるブルートゥース通信が可能な携帯通信端末との間でブルートゥースによる無線通信を行う構成としてもよい。
【０２６７】
より具体的には、上述した実施形態における赤外線発光部３３及び赤外線受光部３４に代えて、例えば、遊技機１に、２．４７ＧＨｚ帯の約１ｍＷ以下である微弱電波のやり取りを可能とするブルートゥースモジュールを設けると共に、略垂直方向に指向性を有するアンテナモジュールを遊技機１内における透明板８１の外部領域に設け、前方に電波が出力されるように構成することができる。
【０２６８】
そして、動作について説明すると、まず、ブルートゥース通信が可能な携帯通信端末を所持する遊技者が、椅子に着座してアンテナモジュールの通信圏内に携帯通信端末が入圏した際には、遊技機１若しくはカードユニットは、ブルートゥースＩＤの送受等のブルートゥース規格に伴う通常の認証手続きを前記入圏した携帯通信端末との間において実施するとともに、その携帯通信端末の電話番号をブルートゥースユニットを介して非接触にて受信、入手する。その入手した携帯通信端末の電話番号データは、通信対象の情報端末として登録されるとともに、管理コンピュータに送信される。この際、何らかの理由により、近接する複数の遊技機１若しくはカードユニットにて同一の電話番号データが誤って入手された場合には、既に登録済みとなっている電話番号と重複が生じていないかを確認し、重複が生じている場合は電話番号の再送信を要求して通信対象の登録をやり直す。このようにして通信対象登録された携帯通信端末に対して、２．４７ＧＨｚ帯の微弱電波により利益付与情報の送信が行われる。
【０２６９】
本実施形態によれば、他の実施形態と同様に利益付与情報及び遊技情報のうちの少なくとも利益付与情報を送信し、携帯通信端末においてこの情報を受信するように構成することが可能である。また、アンテナモジュールから上面方向に垂直に電波が放射され、アンテナ上面の所定角度範囲内に電波放射が集中してなされ、その所定角度範囲外には電波放射が殆どなされないようになっているため、隣接するアンテナモジュール同士の電波干渉が生じることが防止される。なお、ここではブルートゥースモジュールを例示して説明したが、透明板の外部領域において情報通信可能な構成であれば、電磁波を媒体とした他の無線通信方法（無線ＬＡＮ通信など）でもよい。
【０２７０】
＜第５実施形態＞
次に、利益付与情報を、文字、図形、記号、バーコード、二次元コード等の識別情報によって表すようにして提供する方法について説明する。
本実施形態における利益付与情報出力手段は、上記のように文字、図形、記号、バーコード、二次元コード等として表される識別情報（図４０では二次元コードからなる識別情報）を画像表示にて出力する識別情報表示手段を備えた構成をなすものであり、ここでは、外部表示装置１０５が識別情報表示手段として機能し、外部表示制御基板１０５Ａが識別情報の表示を制御する識別情報表示制御手段として機能している。
【０２７１】
識別情報は、利益付与情報を所定のコード情報として表すように構成されるものであり、識別情報表示手段として機能する外部表示装置１０５は、このコード情報を携帯通信端末にて撮影可能な情報として、又は携帯通信端末に設けられた読取装置にて読み取り可能な情報として表示する。図４０の例では、コード情報を携帯通信端末にて撮影可能な情報として表示するようになっており、携帯電話機２００に設けられた撮影装置２３０にて撮影されることにより、コード情報ＣＤを含む画像情報が携帯電話機２００のメモリに記憶されることとなる。
【０２７２】
なお、図４０の例では、コード情報をカメラとして構成される撮影装置２３０にて取得する構成を示したが、携帯電話機２００の内部に、コード情報を読み取るスキャナ（ここでは二次元コードスキャナ）を設け、表示されるコード情報を直接読み取るようにしてもよい。この場合は、画像情報としてではなく、読み取られた情報が携帯電話機２００内のメモリに記憶されることとなる。
【０２７３】
また、利益付与情報を予めコード情報として利益付与情報記憶手段に記憶しておいてもよく、利益付与情報提供装置３０において、コード情報を生成するコード情報生成手段を備えるようにしてもよい。この場合、遊技中に遊技機内で生成された遊技機内生成情報に基づいてコード情報生成手段によりコード情報を生成するようにできる。本実施形態においては、ＣＰＵ及びコード情報作成プログラムをコード情報生成手段として機能させることができる。また、「遊技機内生成情報」としては、例えば、大当り情報、リーチ情報等の遊技情報を用いることができ、遊技情報に基づいてコード情報生成手段にてコード情報を生成することができる。具体的には例えば、図１６に示すようなデータをコード化（例えば２次元コード化）してコード情報を生成することができる。
【０２７４】
そして図４１に示すように、図１７の場合とほぼ同様に、所定の広告表示条件の成立（ここでは大当りの発生）に基づいて広告情報を表示し、この広告情報の一部においてコード情報ＣＤを表示するように構成できる。遊技者はこのコード情報ＣＤを撮影するか、又はスキャナによって読み取るようにして取得し、店頭で提示することとなる。本実施形態では、このコード情報をカメラで撮影し、店頭でその画像を表示すると、店舗に設けられたスキャナで読み取り、情報内容を確認できるように構成されている。
【０２７５】
＜第６実施形態＞
上記実施形態では、広告情報が第２表示手段たる外部表示装置１０５にて表示される構成を例示したが、このようにせずに、遊技に関する画像演出を行う第１表示手段（表示装置５）にて表示されるように構成してもよい。この場合、例えば、広告情報及び利益付与情報に関する説明情報が、背景画像、識別図柄等の、遊技に関する画像演出の一部画像として表示されるように構成することができる。この場合には、第１表示手段にて表示される画像情報を記憶する画像情報記憶手段を設け、その画像情報記憶手段を、更新不能記憶部（ＲＯＭ等による構成）と、更新可能記憶部（書換可能な不揮発性メモリ等による構成）との双方を含むように構成できる。そして、広告情報を更新可能記憶部に記憶するようにし、更新できるようにするとよい。また、利益付与情報に関する説明情報を更新可能記憶部に記憶し、広告情報と関連させて、又は単独でこの利益付与情報に関する説明情報を表示するようにしてもよい。また、このように、第１表示手段にて表示する構成においても、第１表示手段による画像演出と、広告情報の表示とが並行して行われるようにすることができる。
【０２７６】
＜第７実施形態＞
また、利益付与情報の更新方法としては以下のようにしてもよい。
例えば、図１に示すように、遊技機１が複数設置されるホールのホールサーバ４０１を、これら複数の遊技機１と情報通信可能に接続し、かつ、このホールサーバ４０１と、利益付与情報を提供する提供メーカ等の提供主体側に設けられた提供主体サーバ４０３とを通信ネットワークを介して接続するようにシステム構成する。そして、ホールサーバ４０１側に設けられた入力装置にて、更新情報を要求する要求情報が入力されることに基づき、その要求情報が提供主体側サーバ４０３に送られ、その要求情報を取得した提供主体側サーバ４０３からホールサーバ４０１に向けて更新情報がダウンロードされるように構成する。このようにすれば、ホールサーバ４０１にて経営主体から提供される更新情報を取得できる構成となり、経営主体側では更新が行いやすく、メンテナンス性の高い構成となる。また、ホールサーバ４０１にて更新情報を管理できることとなり、ホール内での広告情報管理も極めて行いやすくなる。
【０２７７】
さらにこのような遊技システムにおいて、更新情報を取得したホールサーバ４０１から更新対象の遊技機１に対し更新情報を配信するようにし、これによりその更新対象の遊技機１に設けられた利益付与情報記憶手段の内容が更新されるように構成することができる。このようにすれば、遊技機１に利益付与情報記憶手段が配置される構成のものにおいて、更新が行いやすい構成となる。
【０２７８】
＜第８実施形態＞
次に、第８実施形態について説明する。
第８実施形態では、利益付与情報提供装置３０が遊技機１の外部近傍において遊技機１に接続される形態で配置される例について説明する。
図４２では、利益付与情報提供装置３０が遊技機１内部から延出される通信線１１７を介して遊技機３０に接続されている。本実施形態の利益付与情報提供装置３０は少なくとも利益付与情報出力手段（ここでは赤外線発光部２２）を備えて構成されるものであり、図４２の例では、この利益付与情報出力手段に加え、遊技機外部の表示装置である遊技機外表示装置１１５が利益付与情報提供装置３０内に設けられており、これらが一体化されたユニットとして利益付与情報提供装置３０が構成されている。このような利益付与情報提供装置３０と遊技機１の接続構成としては、コネクタなどを用いて通信経路を着脱可能としてもよい。例えば遊技機１、又は遊技機１の周辺装置において外部接続用の端子を設け、この外部接続用の端子に利益付与情報提供装置３０を着脱可能に接続（例えばコネクタ接続等）するようにしてもよい。この外部接続用の端子は、例えば遊技機１や遊技機１の前面に露出する形態にて配置するようにしてもよく、遊技機１や周辺装置の内部に視認不可能な形態にて配置するようにしてもよい。
【０２７９】
なお、ここでは利益付与情報提供装置３０が遊技機１のみと接続される構成を示しているが、利益付与情報提供装置３０を外部装置とＬＡＮ接続するための通信制御装置（ＬＡＮカード等）を設け、ホールサーバ４０１等と接続するようにしてもよい。また、利益付与情報提供装置３０をルータ等に接続し、各種サーバ（提供主体サーバ、遊技機メーカサーバなど）とインターネットを介して接続してもよい。
【０２８０】
図４３は、利益付与情報提供装置３０が遊技機１の外部近傍において遊技機１に接続される別例を示している。図４３の構成では、利益付与情報提供装置３０が遊技機１の周辺装置（ここでは遊技機同士の間に配置される球貸装置１１９）の内部に設けられた構成を示している。図４２と図４３は、利益付与情報提供装置３０の配置位置が異なるがそれ以外について同様に構成できる。
【０２８１】
＜第９実施形態＞
次に、第９実施形態について説明する。
第９実施形態では、スロットマシンとして構成される遊技機３００の内部、又は外部近傍に利益付与情報提供装置３０を設けた構成を示す。
図４４に示すように、遊技機３００の基本構成としては、複数の識別情報からなる識別情報列３０８ないし３１０を動的表示した後に識別情報を確定表示する可変表示手段を備え、始動用操作手段（例えば操作レバー３０６）の操作に起因して識別情報の動的表示が開始され、停止用操作手段（例えばストップボタン３０７）の操作に起因して、或いは、所定時間経過することにより、識別情報（例えば識別情報３０８Ａ，３０８Ｂ，３０８Ｃ）の動的表示が停止され、その停止時の確定識別情報が特定識別情報（例えば、７７７等）であることを条件として、遊技者に有利な特別遊技状態を発生させる特別遊技状態発生手段を備えたものが挙げられる。この場合、遊技媒体は、コイン、メダル等が代表例として挙げられる。
【０２８２】
このようなスロットマシンとして構成される遊技機３００において、その表示装置３０５の近傍に、上記実施形態と同様の利益付与情報出力手段（赤外線発光部３３）を備えた利益付与情報提供装置３０が設けられている。この利益付与情報提供装置３０のハード構成については第１実施形態や他の実施形態と同様とすることができる。構成について更に具体的に述べると、表示装置３０５と赤外線発光部３３とが同一の筐体３２０の内部において、筐体３２０に組み込まれる形態にて配置され、赤外線発光部３３がその筐体３２０の外部に露出した構成をなしている。なお、図４４の例では、表示装置３０５の近傍に情報通信に関連した操作、又はそれ以外の操作を行うための操作手段として操作ボタン３１１が複数設けられている。ここでは、利益付与情報提供装置３０と、表示装置３０５を別々の装置として構成しているが、このようにスロットマシンとして構成される遊技機３００においても、他の実施形態のように利益付与情報提供装置３０内に表示装置３０５を配置し、表示装置を備えたユニットとして利益付与情報提供装置３０を構成することができる（例えば、破線部Ｙにて示すようなユニット構成）。また、このようなスロットマシンの場合であっても、利益付与情報提供装置３０を遊技機３００の外部近傍に配置することができ、例えば、図４２のように独立して配置してもよく、図４３のように周辺装置内部に配置してもよい。
【０２８３】
＜第１０実施形態＞
第１０実施形態について説明する。
第１０実施形態では、第１実施形態や第５実施形態とは異なる利益付与情報の出力構成について説明する。
図４５では、利益付与情報として利益付与に関する説明情報を備えた画像（図４５ではクーポン券の内容を示す説明画像）を表示する例を示しており、図４６のように遊技者が携帯電話機２００の撮影装置２３０にて撮影することによりこの画像データを取得し、利益付与情報に係る利益の提供を受ける店舗にて図４６のモニタ２０６に示すような撮影画像を提示することにより利益が受けられるようになっている。ここでは、遊技機ＩＤ（遊技機１２３４５と示されるもの）と利益付与がなされた時点が固有情報として付与され、説明情報の画像において表示されるようになっている。遊技者が店舗で画像を提示した場合、どの遊技機からいつ利益付与情報が提供されたのかが店舗側で確認できるようになっている。また、遊技者を特定するための遊技者特定情報（ここでは遊技者の氏名）が付与され、画像において表示されるようになっているため、誰に与えられた利益付与情報なのかを確認できる構成となっている。遊技者特定情報は遊技者毎に固有に付与される遊技者ＩＤなどであってもよい。また、付与される固有情報としては第１実施形態に示すような送信カウンタ値を含むようなものであってもよい。また、図４５に示すような利益付与に関する説明情報の画像の一部に第５実施形態に示すようなコード情報を表示し、コード情報をも利用できるように構成してもよい。
【０２８４】
＜第１１実施形態＞
次に第１１実施形態について図４７を参照して説明する。
第１１実施形態では、遊技者に関する固有データからなる遊技者固有情報を取得し、この遊技者固有情報に応じた選択用画面を表示する構成について説明する。この「遊技者固有情報」としては、遊技者、或いは遊技者の情報通信端末が特定可能な遊技者特定情報（例えば、電話番号やメールアドレス、所定のＩＤ等）などが挙げられる。また、情報通信端末内部、或いは近傍にＩＣチップなどの半導体メモリを配置し、この内部に遊技者情報が記憶されてなるいわゆるＩＣ機能付き携帯電話機（ＩＣカード付き携帯電話機ともいう場合がある）を対象とし、この半導体メモリに記憶された遊技者情報を、ＩＣリーダなどからなる固有情報取得手段により取得するようにしてもよい。
【０２８５】
本実施形態では、遊技者に関するデータからなる遊技者データが記憶される遊技者データ記憶手段を備えた外部サーバとの間で通信を行うように構成されており、固有情報（例えば電話番号やメールアドレス、或いは所定のＩＤ情報）に基づき、その固有情報に係る遊技者に関するデータを外部サーバから取得するようになっている。この場合、ＣＰＵ３６が遊技者データ取得手段として機能する。外部サーバはホールサーバや提供メーカサーバ、或いは遊技機メーカなどが挙げられ、このような外部サーバに顧客の遊技者データを記憶しておき、固有情報を取得した際に、この外部サーバにアクセスして固有情報に係る遊技者データを参照することとなる。外部サーバでのデータ構成は、各ユーザー毎に図４７（ａ）のようなデータを記憶しておくことができる。この構成では、遊技者ごとに、遊技者を特定する遊技者特定情報（電話番号やメールアドレスなど）と所定のポイント情報が少なくとも記憶されるように構成されており、固有情報に基づきポイント情報を参照するようにしている。そして、そのポイントに応じた広告情報を表示するようにしており、遊技者の要望に応じてその広告情報に対応する利益付与情報を出力可能としている。
【０２８６】
図４７（ｂ）は、登録ポイント毎に提供される広告情報や利益付与情報を異ならせている構成を示しており、図４７（ａ）のユーザーにおいては広告情報Ｃ及び利益付与情報Ｃが提供されるようになる。なお、この場合の広告表示条件は、第１実施形態のような大当り状態の発生等、所定の遊技状態の発生であってもよく、それ以外の広告表示条件でもよいが、いずれにしても広告表示条件の成立に基づき、固有情報にて特定されるユーザーの登録内容に応じた広告情報、利益付与情報が提供されることとなる。また、図４７（ｃ）のように、登録ポイントに応じて利益付与情報のグレードを変えてもよい。ここでは、単一の広告情報が表示される一方、登録ポイントが大きくなるほど価値の高い利益付与情報が提供される構成をなしている。例えば、ビールの広告を表示する場合、提供される利益付与情報を、５％割引券、２０％割引券、無料券といったように、ポイントに応じて異ならせるようにできる。もちろん単一の広告情報とせず、ポイントに応じた広告情報を表示するようにしてもよい。
【０２８７】
＜第１２実施形態＞
第１２実施形態では、遊技者が行った遊技内容に関連して、表示されるべき広告情報や、広告関連情報（選択用画面等）が変更される構成のものを例示している。図４８（ａ）の構成では、遊技者が行った遊技時間に応じた広告情報及び利益付与情報が提供される構成を例示し、図４８（ｂ）の構成では、遊技進行状態に応じて広告情報及び利益付与情が提供される構成を例示している。図４８（ａ）の構成では、例えば、遊技時間が長くなるほど価値の高い利益付与情報を提供するように構成することができる。また、図４８（ｂ）の構成では、リーチ回数に応じて提供される広告情報及び利益付与情報が異なる構成を例示している。また、図４９（ａ）の例では、遊技中に取得したポイントに応じた広告情報及び利益付与情報が提供される構成のものを例示している。ここでは、例えば図４９（ｂ）のように遊技状態の種類毎にポイントが定められており、その発生毎に蓄積されるようになっている。そして図４９（ａ）のように蓄積状況に応じた広告情報及び利益付与情報が提供されるようになっている。
【０２８８】
図５０では、遊技者が行った遊技内容に関連して提供される広告関連情報が変更される構成のものを例示している。ここでは、遊技状態の発生回数に応じて広告グループが定められ、かつその広告グループに対応した広告情報が提供されるようになっている。具体的には、リーチ発生回数に応じて対応するグループの選択用画面（図１７参照）を表示するように構成されている。各グループには、図５０（ｂ）にて例示されるように、複数の広告情報とそれに対応する利益付与情報のデータが設けられており、所定の広告表示条件の成立（例えば大当り状態の発生）に基づき、リーチ発生回数に応じたグループの選択用画面をインデックス表示し、その画面上で選択されたインデックスに係る広告情報を図１７（ｂ）のように表示することとなる。
【０２８９】
＜第１３実施形態＞
第１３実施形態では、時間情報を検出可能な時間情報検出手段を備える一方、その時間情報検出手段によって検出される時間情報に基づく、広告情報、又は広告関連情報を表示する構成を例示している。図５１（ａ）では、時間帯に応じて異なる広告情報が表示される構成について示している。即ち、広告表示条件（大当り状態の発生など）が成立した時間帯に応じた広告情報が表示されるようになっている。なお、時間帯毎に広告関連情報（選択用画面等）を設定してもよい。例えば、時間帯毎に表示されるべきグループを定めてもよい。
【０２９０】
図５１（ｂ）の構成のものは、所定の広告時間帯に広告情報が表示されるものであり、広告情報毎に表示開始時刻が定められている。即ち、この表示開始時刻のデータが広告表示条件設定情報となる。即ち、大当りなどの遊技状態の発生などではなく、所定時刻になると広告表示、若しくは広告関連情報（選択用画面など）の表示がなされ、その際に遊技者から要求があれば利益付与情報が提供されるようになっている。なお、ここでは時間データＴ１ないしＴ４として表示開始時刻を示しているが、表示終了時刻を定めてもよい。
【０２９１】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
【０２９２】
（１）上記実施形態では、利益付与条件を遊技機内にて発生する状態に基づく条件とした場合について主に説明したが、これ以外の条件であってもよい。例えば、ある時刻になることを利益付与条件とし、その時刻になることを条件として利益付与情報を出力するようにしてもよい。また、遊技とは関係なく、遊技者から何らかの情報が入力されることを条件として利益付与情報を出力するようにしてもよい。
【０２９３】
（２）上記の実施形態では、利益付与情報提供装置３０に報知ランプ３１を設ける構成としたが、報知ランプ３１を省略して、外部表示装置１０５の画面のメッセージ表示のみにより、利益付与情報があることを報知する構成としてもよい。また、それ以外の報知方法（たとえば、音声による報知や所定のキャラクターを動かす等）であってもよい。
【０２９４】
（３）上記構成では、遊技機とそれに接続される様々な装置を備えた遊技システムの例を示したが、遊技機単体で遊技システムを構成してもよい。また、利益付与情報提供装置を、ホールサーバや外部サーバと接続する構成を例示したが、これらと接続しないようにしてもよい。
【０２９５】
（４）上記実施形態では、利益付与情報提供装置３０が、外部接続端子板１６に設けられた各出力端子１６ａ〜ｄを介して大当り信号等の遊技状態を表す信号を取得する構成としたが、制御装置２１との問で別途専用の通信線を設けて大当り信号等を取得する構成としてもよい。尚、本変形例における通信線は、制御装置２１を構成するメイン基板からの出力専用の通信線若しくは、サブ基板との間に設けられる通信線とし、メイン基板へ不正な信号が入力されることを防止する構造とする。
（５）上記いずれの実施形態においても、広告情報として所定の第１地域用の広告情報と、これとは地域範囲の異なる第２地域用の広告情報とを少なくとも含むように構成でき、表示すべき広告情報を、これら第１地域用の広告情報と第２地域用の広告情報との間で切り替える地域切替手段を備えるようにすることができる。また、所定の第１地域用の選択用情報と、これとは異なる第２地域用の選択用情報を少なくとも含むように構成できる。このように、複数の地域用に選択用情報を設けるようにすれば、地域に対応した選択用情報の表示が可能となる。
【０２９６】
（６）上記いずれの実施形態においても、所定の広告時間帯に広告情報を表示するように制御を行うことができる。例えば、所定の広告時間帯になることを条件として広告情報、或いは選択用情報を表示するようにできる。また、いずれの実施形態においても、時間帯に応じて異なる広告情報、或いは時間帯に応じて異なる選択用画面が表示されるように制御することができる。例えば、図３６のＳ９１０の処理において、時間帯に応じて異なる選択用画面を表示するようにしてもよい。
【０２９７】
（７）上記実施形態では、利益付与情報提供装置３０と携帯電話機２００との間で無線通信により利益付与情報を伝送する構成としたが、これには限られず、有線通信により携帯電話機２００へ利益付与情報を送信するように構成してもよい。例えば、利益付与情報提供装置３０に接続端子を備えた携帯電話ホルダを設け、その携帯電話ホルダに携帯電話機２００を載置することにより、携帯電話ホルダの接続端子と携帯電話機２００の接続端子とが接続されて有線通信を行うことが可能となる構成としてもよい。
【０２９８】
（８）上記実施形態では、携帯通信端末として携帯電話機２００を用いた例を示したが、携帯電話機以外にＰＤＡ（Ｐｅｒｓｏｎａｌ  Ｄｉｇｉｔａｌ  Ａｓｓｉｓｔａｎｔ）、ＰＨＳ等の各種の携帯通信端末を利用することが可能である。
【０２９９】
（９）上記実施形態では、固有の値を付するために送信カウンタ値を用いる構成としたが、これには限られない。要するに、個々に識別可能に表す情報を作成し、携帯通信端末によって受信可能な信号として送信する構成とすればよいのである。例えば、利益付与情報提供装置３０に時計を内蔵させ、情報の出力時点を表す時点データを、構成要素として用いる構成としてもよい。図２０（ａ）は、本変形例において遊技状態記憶領域３８ａにおける遊技状態データ及び時点データの記憶例を、図２０（ｂ）は携帯電話機２００によって受信された遊技情報の記憶例を示す図である。この変形例によれば、情報の出力時点を表す時点データによって、重複が生じない固有情報を簡単且つ確実に作成することができる。
【０３００】
（１０）上記実施形態では、遊技者を特定することなく利益付与情報の送信を行う構成であったが、携帯電話機２００から会員ＩＤ等の遊技者識別情報を送信させ、これを利益付与情報提供装置３０において受信することにより遊技者が特定されたことを条件に利益付与情報を送信するように構成してもよい。この場合、例えば、遊技者が特定された場合は、表示装置５の画面５ａにて利益付与情報を受信するための操作方法の説明を表示し、遊技者が特定されない場合には、遊技機メーカのインターネット・ホームページをアクセスして会員になることを勧誘する広告情報を表示するようにしてもよい。或いは、会員ＩＤ等によって遊技者が特定された場合には、利益付与情報に付加価値情報を付与して送信するように構成してもよい。また、利益付与情報の出力の際に、利益付与情報と遊技者特定情報を提供主体側サーバに送信するようにして不正防止に役立てるようにしてもよい。この場合、店舗で照合した際に、正規の取得者以外からの提示があった場合には不正であると判断することができる。また、このような遊技者識別情報を含ませるようにして上述したような入力関連情報を外部サーバに送信するようにしてもよい。
【０３０１】
（１１）前記実施の形態では、高確率モード中に通常大当りが２回連続して発生したことに起因して低確率モードヘ遷移する構成としたが、通常大当たりが１回発生したことに起因して低確率モードヘ遷移する構成としてもよい。
【０３０２】
（１２）上記実施形態では、利益付与情報提供装置を取付ける対象として第１種遊技機やスロットマシンを例に挙げて説明したが、第２種遊技機、第３種遊技機、一般電役、或いはアレンジボールをパチンコ機に適用したものなど全てのものに適用できる。
【図面の簡単な説明】
【図１】本発明の適用対象となる遊技システムについての構成を概念的に例示する概念図
【図２】図１の遊技システムについて機能を概念的に例示するブロック図
【図３】図１の遊技システムに用いる遊技機の一例を概念的に示す斜視図
【図４】遊技機における遊技盤の概略構成図
【図５】利益付与情報提供装置のハードウェア構成の一例を示すブロック図
【図６】ホールサーバのハードウェア構成の一例を示すブロック図
【図７】携帯電話機を例示する正面図
【図８】携帯電話器のハードウェア構成を例示するブロック図
【図９】特別電動役物制御ルーチンを例示するフローチャート
【図１０】特別電動役物制御ルーチンの図９の続き部分を説明するフローチャート
【図１１】図柄変動開始処理ルーチンを説明するフローチャート
【図１２】確立変動処理ルーチンを説明するフローチャート
【図１３】確変中信号、大当たり信号及び確変大当り信号の検出例を示すチャート
【図１４】利益付与情報送信メインルーチンを説明するフローチャート
【図１５】情報送信処理ルーチンを説明するフローチャート
【図１６】送信バッファのフォーマット（遊技情報及び利益付与情報のデータ構造）及び送信バッファの格納例を示す説明図
【図１７】広告情報表示例を示す説明図
【図１８】携帯電話におけるメッセージ表示例を示す説明図
【図１９】携帯電話機によって受信された利益付与情報の記憶例を示す図
【図２０】変形例において、遊技状態データ及び時点データが記憶された例を示す図
【図２１】広告情報及び利益付与情報のデータ構成の一例を示す図
【図２２】広告表示条件設定情報の構成についていくつか例示する図
【図２３】ガラス扉枠の裏側の構成について例示する概略構成図
【図２４】利益付与情報提供装置について図２３とは異なる配置例を示す概略構成図
【図２５】利益付与情報提供装置について図２３、図２４とは異なる配置例を示す概略構成図
【図２６】ユーザー入力処理の一例について示すフローチャート
【図２７】ユーザー設定画面のの画面例を示す説明図
【図２８】ポイント照会処理の画面例を示す説明図
【図２９】図２８に続く図
【図３０】モード変更処理のの画面例を示す説明図
【図３１】ジャンル選択処理のの画面例を示す説明図
【図３２】メーカー選択処理のの画面例を示す説明図
【図３３】ユーザ設定情報の記憶構成の一例について説明する説明図
【図３４】遊技者データの構成例を示す図
【図３５】図３４とは異なる構成例を示す図
【図３６】第２実施形態に係る利益付与情報送信メインルーチンの一例を示すフローチャート
【図３７】第２実施形態での表示例を示す図
【図３８】第３実施形態の一例について、内部機能を概念的に例示するブロック図
【図３９】第３実施形態の図３８とは異なる例について、内部機能を概念的に例示するブロック図
【図４０】第５実施形態における利益付与情報の出力構成を概念的に説明する説明図
【図４１】第５実施形態における広告情報及び利益付与情報（コード情報）の表示例を示す図
【図４２】第８実施形態についての利益付与情報提供装置を例示する図
【図４３】第８実施形態について図４２とは異なる例を示す図
【図４４】第９実施形態について例示する図
【図４５】第１０実施形態における表示例を例示する説明図
【図４６】第１０実施形態における利益付与情報の使用例について説明する説明図
【図４７】第１１実施形態におけるデータ構成について例示する説明図
【図４８】第１２実施形態におけるデータ構成について例示する説明図
【図４９】第１２実施形態における図４８とは異なるデータ構成を例示する説明図
【図５０】第１２実施形態における図４９とは異なるデータ構成を例示する説明図
【図５１】第１３実施形態におけるデータ構成を例示する説明図
【符号の説明】
１…遊技機
５…表示装置（第１表示手段）
５Ａ…画像表示制御基板（第１表示制御手段）
２１Ａ…メイン基板（主制御装置）
３０…利益付与情報提供装置
３３…赤外線発光部（利益付与情報出力手段、無線送信手段、媒体出力部）
３４…赤外線受光部（遊技者固有情報取得手段）
３６…ＣＰＵ（コード情報生成手段、利益付与情報更新手段、広告情報更新手段、設定情報更新手段、広告モード切替手段、利益付与情報取得手段、広告情報取得手段、遊技情報取得手段、遊技状態検出手段、選択用情報表示タイミング設定手段）
３９…不揮発性メモリ（利益付与情報記憶手段、広告情報記憶手段、設定情報記憶手段、広告表示条件記憶手段）
４１…通信制御手段（遊技者データ取得手段、入力関連情報送信手段、設定更新情報入力手段、広告更新情報入力手段）
４３…情報入力装置（遊技者入力手段、遊技者固有情報取得手段、設定更新情報入力手段、広告更新情報入力手段）
１００…遊技システム
１０５…外部表示装置（所定の表示装置、第２表示手段、利益付与情報出力手段、識別情報表示手段）
１０５Ａ…外部表示制御基板（広告表示制御手段、広告選択手段）
１０９Ａ〜１０９Ｆ…広告情報の個別インデックス（細分化インデックス）
１１４Ａ〜１１４Ｈ…ジャンル別の広告グループインデックス（ジャンル毎のインデックス）
１１５Ａ〜１１４Ｆ…メーカ別の広告グループインデックス（提供主体毎のインデックス）
２００…携帯電話機（携帯通信端末）
４０１…ホールサーバ（外部サーバ）
４０３…提供主体サーバ（外部サーバ）
４０５…遊技機メーカサーバ（外部サーバ）
【図１】
2005006679.tif 000003
【図２】
2005006679.tif 000004
【図３】
2005006679.tif 000005
【図４】
2005006679.tif 000006
【図５】
2005006679.tif 000007
【図６】
2005006679.tif 000008
【図７】
2005006679.tif 000009
【図８】
2005006679.tif 000010
【図９】
2005006679.tif 000011
【図１０】
2005006679.tif 000012
【図１１】
2005006679.tif 000013
【図１２】
2005006679.tif 000014
【図１３】
2005006679.tif 000015
【図１４】
2005006679.tif 000016
【図１５】
2005006679.tif 000017
【図１６】
2005006679.tif 000018
【図１７】
2005006679.tif 000019
【図１８】
2005006679.tif 000020
【図１９】
2005006679.tif 000021
【図２０】
2005006679.tif 000022
【図２１】
2005006679.tif 000023
【図２２】
2005006679.tif 000024
【図２３】
2005006679.tif 000025
【図２４】
2005006679.tif 000026
【図２５】
2005006679.tif 000027
【図２６】
2005006679.tif 000028
【図２７】
2005006679.tif 000029
【図２８】
2005006679.tif 000030
【図２９】
2005006679.tif 000031
【図３０】
2005006679.tif 000032
【図３１】
2005006679.tif 000033
【図３２】
2005006679.tif 000034
【図３３】
2005006679.tif 000035
【図３４】
2005006679.tif 000036
【図３５】
2005006679.tif 000037
【図３６】
2005006679.tif 000038
【図３７】
2005006679.tif 000039
【図３８】
2005006679.tif 000040
【図３９】
2005006679.tif 000041
【図４０】
2005006679.tif 000042
【図４１】
2005006679.tif 000043
【図４２】
2005006679.tif 000044
【図４３】
2005006679.tif 000045
【図４４】
2005006679.tif 000046
【図４５】
2005006679.tif 000047
【図４６】
2005006679.tif 000048
【図４７】
2005006679.tif 000049
【図４８】
2005006679.tif 000050
【図４９】
2005006679.tif 000051
【図５０】
2005006679.tif 000052
【図５１】
2005006679.tif 000053